(57)【特許請求の範囲】
【請求項１】
デジタル画像形成装置と、該デジタル画像形成装置との通信が可能であり、さらに通信管理装置との通信が可能な携帯用画像通信装置とを備え、
前記通信管理装置は、
他の通信装置から前記携帯用画像通信装置宛に送信されてくる画像データを記憶する記憶手段と、
この記憶手段に前記画像データが記憶されたことを示す報知情報を前記携帯用画像通信装置に送信し、前記携帯用画像通信装置から前記画像データの転送要求があったときに、前記画像データを前記記憶手段から読み出して携帯用画像通信装置に転送する制御手段とを備え、
前記携帯用画像通信装置は、
前記通信管理装置からの前記報知情報を受信した後、前記通信管理装置に対して前記画像データの転送要求を行うとともに、前記通信管理装置から転送されてきた画像データをデジタル画像形成装置に転送する制御手段とを備え、
前記デジタル画像形成装置は、
画像データを可視像化する可視像化手段と、
前記携帯用画像通信装置から転送されてきた画像データを前記可視像化手段に
供給する制御手段とを備えていることを特徴とするデジタル画像形成システム。
【請求項２】
デジタル画像形成装置と、該デジタル画像形成装置との通信が可能であり、さらに通信管理装置との通信が可能な携帯用画像通信装置とを備え、
前記通信管理装置は、
他の通信装置から前記携帯用画像通信装置宛に送信されてくる画像データ情報を記憶する記憶手段と、
この記憶手段に前記画像データが記憶されたことを示す報知情報を前記携帯用画像通信装置に送信し、前記携帯用画像通信装置から前記画像データの転送要求があったときに、前記画像データを前記記憶手段から読み出して携帯用画像通信装置に転送する制御手段とを備え、
前記携帯用画像通信装置は、
画像データを記憶する記憶手段と、
前記通信管理装置からの前記報知情報を受信した後、前記通信管理装置に対して前記画像データの転送要求を行うとともに、前記通信管理装置から転送されてきた画像データを前記記憶手段に記憶させ、前記記憶手段に記憶された前記画像データを読み出して前記デジタル画像形成装置に送信する制御手段とを備え、
前記デジタル画像形成装置は、
画像データを可視像化する可視像化手段と、
前記携帯用画像通信装置から転送されてきた画像データを前記可視像化手段に
供給する制御手段とを備えていることを特徴とするデジタル画像形成システム。
【発明の詳細な説明】
【技術分野】
【０００１】
本発明は、例えばデジタル複写機からなる画像形成装置と、例えば携帯電話からなる携帯用画像通信装置とを備えたデジタル画像形成システムに関するものである。
【背景技術】
【０００２】
従来、例えば特開昭６４−５７８６８号公報に開示されているように、画像データを他の装置に送信する機能を備えたデジタル画像形成装置が知られている。このデジタル画像形成装置は、スキャナにて読み取った原稿の画像データを記録部によりプリントアウトするコピーモードと、通信装置および通信回線により上記画像データを他の装置に送信するファクシミリモードとを備えたデジタル複合複写装置となっている。
【０００３】
上記公報に開示されたデジタル画像形成装置は、上記コピーモードとファクシミリモードを自動切換えできるものであり、このような構成により、効率良く原稿の画像データをコピーしあるいはファックスすることができる。また、ファクシミリ機能により受信した画像データを記録部から出力可能である。
【発明の開示】
【発明が解決しようとする課題】
【０００４】
上記デジタル画像形成装置のファクシミリ機能、あるいは一般のファクシミリ装置を使用した場合には、特定の相手先に対して、画像データを伝えることが可能である。しかしながら、この場合には、送信する相手が、常時特定の場所に居る場合に限られる。即ち、仕事で多数の取引先を訪問するために移動するビジネスマン等、居場所が不特定の送信相手には、画像データを迅速に伝えることができない。
【０００５】
一方、現在、携帯用の通信端末として広く普及している携帯電話を使用した場合、この携帯電話の携帯者に対しては、その携帯者が不特定の場所に居る場合であっても、通話により必要な情報を伝えることができる。しかしながら、この場合には、上記画像データを伝えることができない。
【０００６】
これとは逆に、ビジネスマンが出先において至急に所定の相手先へ送信すべき原稿を入手した場合、携帯用のファクシミリ装置でも携帯していない限り、その原稿を迅速に送信することはできない。また、上記のようなファクシミリ装置は、重量および大きさの点から、実際上携帯には不向きである。また、例えば出先において、ファクシミリ装置を借用した場合、その通信料金は、通信の距離、時間、時間帯およびサービス会社等によってまちまちであり、その精算が面倒であるといった問題も生じるため、安易にこの方法を利用することもできない。
【０００７】
従って、本発明は、画像データの送信者または受信者が不特定の場所に居る場合であっても、画像データの送受信およびその可視像化を容易かつ迅速に行うことができるデジタル画像形成システムおよび画像データ転送方法の提供を目的としている。
【課題を解決するための手段】
【０００８】
上記の課題を解決するために、本発明のデジタル画像形成システムは、現在広く普及しているデジタル画像形成装置、例えばデジタル複写機と携帯用画像通信装置、例えば携帯電話とを利用し、以下のように構成している。
【０００９】
すなわち、本発明の他のデジタル画像形成システムは、デジタル画像形成装置と、該デ
ジタル画像形成装置との通信が可能であり、さらに通信管理装置との通信が可能な携帯用画像通信装置とを備え、前記通信管理装置は、他の通信装置から前記携帯用画像通信装置宛に送信されてくる画像データを記憶する記憶手段と、この記憶手段に前記画像データが記憶されたことを示す報知情報を前記携帯用画像通信装置に送信し、前記携帯用画像通信装置から前記画像データの転送要求があったときに、前記画像データを前記記憶手段から読み出して携帯用画像通信装置に転送する制御手段とを備え、前記携帯用画像通信装置は、前記通信管理装置からの前記報知情報を受信した後、前記通信管理装置に対して前記画像データの転送要求を行うとともに、前記通信管理装置から転送されてきた画像データをデジタル画像形成装置に転送する制御手段とを備え、前記デジタル画像形成装置は、画像データを可視像化する可視像化手段と、前記携帯用画像通信装置から転送されてきた画像データを前記可視像化手段に供給する制御手段とを備えていることを特徴としている。
【００１０】
上記の構成によれば、他の通信装置から前記携帯用画像通信装置宛に送信されてくる画像データは通信管理装置の記憶手段に記憶される。このときには、この状態を示す報知情報が携帯用画像通信装置に送信されるので、携帯用画像通信装置の操作者は、通信管理装置での前記画像データの存在を知ることができる。操作者は、前記画像データの転送を要求し、これに基づいて、携帯用画像通信装置から通信管理装置に画像データの転送要求が行われ、通信管理装置から携帯用画像通信装置へ画像データが転送される。携帯用画像通信装置に転送された画像データは、さらにデジタル画像形成装置に転送される。デジタル画像形成装置では、可視像化手段により画像データが可視像化される。
【００１１】
本デジタル画像形成システムでは、上記のように、他の通信装置から送信されてきた画像データが通信管理装置に記憶され、携帯用画像通信装置では必要に応じて前記画像データの転送を要求することができる。従って、携帯用画像通信装置に上記画像データを記憶するための大きな記憶容量を常時確保する必要がなく、携帯用画像通信装置の記憶容量を他の目的に有効に使用することができる。
【００１２】
本発明のさらに他のデジタル画像形成システムは、デジタル画像形成装置と、該デジタル画像形成装置との通信が可能であり、さらに通信管理装置との通信が可能な携帯用画像通信装置とを備え、前記通信管理装置は、他の通信装置から前記携帯用画像通信装置宛に送信されてくる画像データ情報を記憶する記憶手段と、この記憶手段に前記画像データが記憶されたことを示す報知情報を前記携帯用画像通信装置に送信し、前記携帯用画像通信装置から前記画像データの転送要求があったときに、前記画像データを前記記憶手段から読み出して携帯用画像通信装置に転送する制御手段とを備え、前記携帯用画像通信装置は、画像データを記憶する記憶手段と、前記通信管理装置からの前記報知情報を受信した後、前記通信管理装置に対して前記画像データの転送要求を行うとともに、前記通信管理装置から転送されてきた画像データを前記記憶手段に記憶させ、前記記憶手段に記憶された前記画像データを読み出して前記デジタル画像形成装置に送信する制御手段とを備え、前記デジタル画像形成装置は、画像データを可視像化する可視像化手段と、前記携帯用画像通信装置から転送されてきた画像データを前記可視像化手段に供給する制御手段とを備えていることを特徴としている。
【００１３】
上記の構成によれば、他の通信装置から前記携帯用画像通信装置宛に送信されてくる画像データは通信管理装置の記憶手段に記憶される。このときには、この状態を示す報知情報が携帯用画像通信装置に送信され、この報知情報により、携帯用画像通信装置の操作者は、通信管理装置での前記画像データの存在を知ることができる。操作者は、前記画像データの転送を要求し、これに基づいて、携帯用画像通信装置から通信管理装置に画像データの転送要求が行われ、通信管理装置から携帯用画像通信装置へ画像データが転送される。携帯用画像通信装置に転送された画像データは、携帯用画像通信装置の記憶手段に記憶される。その後、携帯用画像通信装置とデジタル画像形成装置とを通信可能な状態として
、携帯用画像通信装置からデジタル画像形成装置に前記画像データが転送されると、デジタル画像形成装置では、可視像化手段により画像データが可視像化される。
【００１４】
本デジタル画像形成システムでは、上記のように、他の通信装置から送信されてきた画像データが通信管理装置に記憶され、携帯用画像通信装置では必要に応じて前記画像データの転送を要求することができる。従って、携帯用画像通信装置に上記画像データを記憶するための大きな記憶容量を常時確保する必要がなく、携帯用画像通信装置の記憶容量を他の目的に有効に使用することができる。
【００１５】
また、通信管理装置から携帯用画像通信装置に転送された画像データは携帯用画像通信装置の記憶手段に一旦記憶されるので、操作者は適当なときに、携帯用画像通信装置をデジタル画像形成装置と通信可能な状態とし、画像データの可視化された画像を得ることができる。
【００１６】
なお、本発明のデジタル画像形成システムは、デジタル画像形成装置と、該デジタル画像形成装置との通信が可能であり、さらに通信管理装置との通信が可能な携帯用画像通信装置からなるデジタル画像形成システムにおいて、前記通信管理装置は、前記携帯用画像通信装置に送信される画像データを記憶する記憶部と、前記携帯用画像通信装置からの要求に基づいて前記記憶部に記憶されている画像データを前記携帯用画像通信装置に対して送信する制御手段とを備え、前記携帯用画像通信装置は、前記通信管理装置から送信されてきた画像データを記憶する記憶部と、前記通信管理装置に記憶されている画像データを要求することにより、前記通信管理装置から送信されてきた画像データを前記記憶部に記憶させ、該記憶部に記憶された画像データを前記デジタル画像形成装置に対して転送する制御手段とを備え、前記デジタル画像形成装置は、画像データを可視像化する可視像化手段と、前記携帯用画像通信装置から転送されてきた画像データを前記可視像化手段に供給する制御手段とを備えたデジタル画像形成システムも考えられる。
【００１７】
上記の構成によれば、他の通信装置から前記携帯用画像通信装置宛に送信されてくる画像データは通信管理装置の記憶手段に記憶される。一方、携帯用画像通信装置の操作者は、該携帯用画像通信装置を操作して、前記通信管理装置に画像データの存在を確認する。ここで、画像データの存在が確認できれば、操作者は、前記画像データの転送を要求し、これに基づいて、携帯用画像通信装置から通信管理装置に画像データの転送要求が行われ、通信管理装置から携帯用画像通信装置へ画像データが転送される。携帯用画像通信装置に転送された画像データは、さらにデジタル画像形成装置に転送される。デジタル画像形成装置では、可視像化手段により画像データが可視像化される。
【００１８】
本デジタル画像形成システムでは、上記のように、他の通信装置から送信されてきた画像データが通信管理装置に記憶され、携帯用画像通信装置では必要に応じて前記画像データの転送を要求することができる。
【００１９】
従って、携帯用画像通信装置に上記画像データを記憶するための大きな記憶容量を常時確保する必要がなく、携帯用画像通信装置の記憶容量を他の目的に有効に使用することができる。
【００２０】
以上のデジタル画像形成システムにおいて、前記通信管理装置と前記携帯用画像通信装置との通信は、電話通信であってもよい。
【００２１】
これにより、不特定の携帯用画像通信装置同士で画像データの送受信を行なうことが可能となる。
【００２２】
さらに、デジタル画像形成装置に備えられた原稿画像読取装置により読み取った画像データを、該デジタル画像形成装置から通信管理装置と通信可能な携帯用画像通信装置を介して、該通信管理装置に送信する第１のステップと、送信されてきた画像データを前記通信管理装置が記憶する第２のステップと、携帯用画像通信装置が、必要に応じて前記通信管理装置に記憶された画像データの転送を要求する第３のステップとを含む画像データ転送方法も考えられる。
【００２３】
上記の構成によれば、他の通信装置から送信されてきた画像データが通信管理装置に記憶され、携帯用画像通信装置では必要に応じて前記画像データの転送を要求するようになっているので、携帯用画像通信装置に上記画像データを記憶するための大きな記憶容量を常時確保する必要がなく、携帯用画像通信装置の記憶容量を他の目的に有効に使用することができる。
【００２４】
また、画像データを、通信管理装置と通信可能な携帯用画像通信装置を介して、該通信管理装置に送信する第１のステップと、送信されてきた画像データを前記通信管理装置が記憶する第２のステップと、携帯用画像通信装置が、必要に応じて前記通信管理装置に記憶された画像データの転送を要求する第３のステップとを含む画像データ転送方法も考えられる。
【００２５】
さらに、デジタル画像形成装置との通信が可能であり、さらに通信管理装置との通信が可能な携帯用画像通信装置とを備えたデジタル画像形成システムにおけるデジタル画像形成方法において、前記通信管理装置が、他の通信装置から前記携帯用画像通信装置宛に送信されてくる画像データを記憶すると共に、画像データを記憶していることを前記携帯用画像通信装置に報知する第１のステップと、通信管理装置から画像データを記憶していることを報知された携帯用画像通信装置が、前記通信管理装置に対して、画像データの転送要求を行なう第２のステップと、携帯用画像通信装置から画像データの転送要求を受信した通信管理装置が、前記携帯用画像通信装置に対して画像データを送信する第３のステップと、通信管理装置から画像データが送信された携帯用画像通信装置が、受信した画像データを前記デジタル画像形成装置に転送する第４のステップと、携帯用画像通信装置から画像データが転送されたデジタル画像形成装置が、受信した画像データを可視像化する第５のステップとを含んでいるデジタル画像形成方法も考えられる。
【００２６】
また、デジタル画像形成装置との通信が可能であり、さらに通信管理装置との通信が可能な携帯用画像通信装置とを備えたデジタル画像形成システムにおけるデジタル画像形成方法において、前記通信管理装置が、携帯用画像通信装置宛の画像データを記憶すると共に、画像データを記憶したことを前記携帯用画像通信装置に報知する第１のステップと、前記通信管理装置が画像データを記憶していることを携帯用画像通信装置において報知させ、その後の操作で前記通信管理装置に画像データの転送要求を行なう第２のステップと、画像データの転送要求を受信した通信管理装置が、画像データを送信する第３のステップと、送信された画像データを受信したデジタル画像形成装置が、受信した画像データを可視像化する第４のステップとを含んでいるデジタル画像形成方法も考えられる。
【発明の効果】
【００２７】
以上のように、本発明のデジタル画像形成システムは、デジタル画像形成装置と、該デジタル画像形成装置との通信が可能であり、さらに通信管理装置との通信が可能な携帯用画像通信装置とを備え、前記通信管理装置は、他の通信装置から前記携帯用画像通信装置宛に送信されてくる画像データを記憶する記憶手段と、この記憶手段に前記画像データが記憶されたことを示す報知情報を前記携帯用画像通信装置に送信し、前記携帯用画像通信装置から前記画像データの転送要求があったときに、前記画像データを前記記憶手段から読み出して携帯用画像通信装置に転送する制御手段とを備え、前記携帯用画像通信装置は
、前記デジタル画像形成装置との通信が可能な状態で、前記通信管理装置からの前記報知情報を受信した後、前記通信管理装置に対して前記画像データの転送要求を行うとともに、前記通信管理装置から転送されてきた画像データをデジタル画像形成装置に転送する制御手段とを備え、前記デジタル画像形成装置は、画像データを可視像化する可視像化手段と、前記携帯用画像通信装置から転送されてきた画像データを前記可視像化手段に供給する制御手段とを備えている構成である。
【００２８】
これにより、他の通信装置から前記携帯用画像通信装置宛に送信されてくる画像データは通信管理装置の記憶手段に記憶される。このときには、この状態を示す報知情報が携帯用画像通信装置に送信されるので、携帯用画像通信装置の操作者は、通信管理装置での前記画像データの存在を知ることができる。操作者は、前記画像データの転送を要求し、これに基づいて、携帯用画像通信装置から通信管理装置に画像データの転送要求が行われ、通信管理装置から携帯用画像通信装置へ画像データが転送される。携帯用画像通信装置に転送された画像データは、さらにデジタル画像形成装置に転送される。デジタル画像形成装置では、可視像化手段により画像データが可視像化される。
【００２９】
したがって、本デジタル画像形成システムでは、上記のように、他の通信装置から送信されてきた画像データが通信管理装置に記憶され、携帯用画像通信装置では必要に応じて前記画像データの転送を要求することができる。従って、携帯用画像通信装置に上記画像データを記憶するための大きな記憶容量を常時確保する必要がなく、携帯用画像通信装置の記憶容量を他の目的に有効に使用することができるという効果を奏する。
【００３０】
本発明の他のデジタル画像形成システムは、デジタル画像形成装置と、該デジタル画像形成装置との通信が可能であり、さらに通信管理装置との通信が可能な携帯用画像通信装置とを備え、前記通信管理装置は、他の携帯用画像通信装置から前記携帯用画像通信装置宛に送信されてくる画像データ情報を記憶する記憶手段と、この記憶手段に前記画像データが記憶されたことを示す報知情報を前記携帯用画像通信装置に送信し、前記携帯用画像通信装置から前記画像データの転送要求があったときに、前記画像データを前記記憶手段から読み出して携帯用画像通信装置に転送する制御手段とを備え、前記携帯用画像通信装置は、画像データを記憶する記憶手段と、前記通信管理装置からの前記報知情報を受信した後、前記通信管理装置に対して前記画像データの転送要求を行うとともに、前記通信管理装置から転送されてきた画像データを前記記憶手段に記憶させ、前記記憶手段に記憶された前記画像データを読み出して前記デジタル画像形成装置に送信する制御手段とを備え、前記デジタル画像形成装置は、画像データを可視像化する可視像化手段と、前記携帯用画像通信装置から転送されてきた画像データを前記可視像化手段に供給する制御手段とを備えている構成である。
【００３１】
これにより、他の通信装置から前記携帯用画像通信装置宛に送信されてくる画像データは通信管理装置の記憶手段に記憶される。このときには、この状態を示す報知情報が携帯用画像通信装置に送信され、この報知情報により、携帯用画像通信装置の操作者は、通信管理装置での前記画像データの存在を知ることができる。操作者は、前記画像データの転送を要求し、これに基づいて、携帯用画像通信装置から通信管理装置に画像データの転送要求が行われ、通信管理装置から携帯用画像通信装置へ画像データが転送される。携帯用画像通信装置に転送された画像データは、携帯用画像通信装置の記憶手段に記憶される。その後、携帯用画像通信装置とデジタル画像形成装置とを通信可能な状態として、携帯用画像通信装置からデジタル画像形成装置に前記画像データが転送されると、デジタル画像形成装置では、可視像化手段により画像データが可視像化される。
【００３２】
したがって、本デジタル画像形成システムでは、上記のように、他の通信装置から送信されてきた画像データが通信管理装置に記憶され、携帯用画像通信装置では必要に応じて
前記画像データの転送を要求することができる。従って、携帯用画像通信装置に上記画像データを記憶するための大きな記憶容量を常時確保する必要がなく、携帯用画像通信装置の記憶容量を他の目的に有効に使用することができる。
【００３３】
また、通信管理装置から携帯用画像通信装置に転送された画像データは携帯用画像通信装置の記憶手段に一旦記憶されるので、操作者は適当なときに、携帯用画像通信装置をデジタル画像形成装置と通信可能な状態とし、画像データの可視化された画像を得ることができるという効果を奏する。
【発明を実施するための最良の形態】
【００３４】
〔参考例１〕
本発明の参考例を図１ないし図１１に基づいて以下に説明する。
【００３５】
本デジタル画像形成システムは、図２に示すように、デジタル画像形成装置としてのデジタル複写機１と携帯用画像通信装置としての携帯電話２とを備えている。携帯電話２は、電話通信網を使用して他の通信装置と通信可能であり、デジタル複写機１に対して着脱自在に装着されている。
【００３６】
デジタル複写機１は、図３に示すように、スキャナ部１１とレーザプリンタ部１２とから構成されている。スキャナ部１１は透明ガラスからなる原稿載置台２１、この原稿載置台２１上へ自動的に原稿を搬送する両面対応自動原稿送り装置（以下、ＲＡＤＦと称する）２２、および原稿載置台２１上に載置された原稿の画像を走査して読み取るスキャナユニット２３から構成されている。
【００３７】
上記ＲＡＤＦ２２は、原稿トレイ（図示せず）上に一度にセットされた原稿を１枚ずつ自動的に原稿載置台２１上へ給送する装置である。ＲＡＤＦ２２は、オペレータの選択に応じて原稿の片面または両面をスキャナユニット２３に読み取らせるために、図示しない片面原稿のための搬送経路、両面原稿のための搬送経路、搬送経路切り換え手段、各部を通過する原稿の状態を把握し管理するためのセンサー群および制御部などを備えている。このＲＡＤＦ２２は従来周知のものである。
【００３８】
スキャナユニット２３は、第１走査ユニット２４、第２走査ユニット２５、光学レンズ２６およびＣＣＤ(Charge Coupled Device) ２７を備えている。第１走査ユニット２４は、原稿面を露光するランプリフレクタアセンブリ２８、および原稿からの反射光像を反射する第１反射ミラー２９を搭載している。第２走査ユニット２５は、第１反射ミラー２９からの反射光像をＣＣＤ２７に導くための第２および第３反射ミラー３０・３１を搭載している。光学レンズ２６は、原稿からの反射光像をＣＣＤ２７上に結像するものである。ＣＣＤ２７は、原稿からの反射光像を電気的画像信号に変換するものである。
【００３９】
スキャナ部１１は、上記ＲＡＤＦ２２とスキャナユニット２３との関連した動作により、原稿載置台２１上に読み取るべき原稿を順次載置させながら、原稿載置台２１の下面に沿ってスキャナユニット２３を移動させ、原稿画像を読み取るように構成されている。第１走査ユニット２４は、原稿載置台２１に沿って同図の左から右へと一定速度Ｖで走行し、第２走査ユニット２５は、速度Ｖに対してＶ／２の速度で同一方向に平行に走査する。これにより、原稿載置台２１上に載置された原稿の画像を１ライン毎に順次ＣＣＤ２７へと結像させて画像を読み取ることとなる。
【００４０】
スキャナユニット２３から得られた画像データは、図４に示す画像処理部１３へ送られ、各種処理が施された後、画像処理部１３の画像メモリ６４に一旦記憶される。さらにこの画像データは、出力指示に応じて画像メモリ６４から読み出され、レーザプリンタ部１
２に転送されて記録シート上に画像として記録される。
【００４１】
レーザプリンタ部１２は、レーザ書込みユニット４１、画像を形成するための電子写真プロセス部４２、および画像が記録される記録シートの搬送系４３を備えている。
【００４２】
レーザ書込みユニット４１は、図示しない半導体レーザ光源、レーザ光を等角速度偏向するポリゴンミラー、等角速度で偏向されたレーザ光が感光体ドラム４４上で等角速度で偏向されるように補正するｆ一０レンズなどを有している。上記半導体レーザ光源は、前記画像メモリ６４から読み出された画像データ、または外部装置から転送されてきた画像データに応じてレーザ光を出射するものである。
【００４３】
電子写真プロセス部４２は、周知の態様に従い感光体ドラム４４の周囲に帯電器、現像器、転写器、剥離器、クリーニング器および除電器を備えている。
【００４４】
搬送系４３は、搬送部４５、カセット給紙装置４６・４７、手差し給紙装置４８、定着器４９および再供給経路５０を備えている。搬送部４５は、上記電子写真プロセス部４２の転写器が配置された転写位置へ記録シートを搬送するものである。カセット給紙装置４６・４７は、搬送部４５へ記録シートを送り込むものである。手差し給紙装置４８は、任意のサイズの記録シートを給紙するためのものである。定着器４９は、記録シートに形成されたトナー像を記録シート上に定着させるものである。再供給経路５０は、定着器４９を経た記録シートの裏面に再度画像を形成する場合に、記録シートを上記転写位置へ再供給するためのものである。
【００４５】
また、定着器４９の下流側には後処理装置５１が設けられている。この後処理装置５１は、画像が記録された記録シートに対して、ステープル処理等の後処理を施すものである。
【００４６】
レーザプリンタ部１２において、前記画像メモリ６４から読み出された画像データは、レーザ書込みユニット４１によりレーザ光として出力される。このレーザ光が感光体ドラム４３の表面を走査することにより、感光体ドラム４３の表面には静電潜像が形成される。この静電潜像は、現像器から供給されるトナーにより現像されてトナー像となる。このトナー像は、カセット給紙装置４６・４７および手差し給紙装置４８の何れかより供給された記録シートに転写器により転写される。記録シート上のトナー像は定着器４９により定着される。その後、記録シートは、必要に応じて後処理装置５１により処理され、機外へ排出される。
【００４７】
また、デジタル複写機１は、図４に示すように、スキャナ部１１にて読み取られた原稿の画像データに対して各種の画像処理を行う画像処理部１３を備えている。次に、この画像処理部１３の構成および機能について説明する。
【００４８】
画像処理部１３は、画像データ入力部６１と、画像データ処理部６２と、画像データ出力部６３と、ＲＡＭ(Random Access Memory)あるいはハードディスク等から構成される画像メモリ６４と、ＣＰＵ(Central Processing Unit) ６５とを備えている。
【００４９】
画像データ入力部６１は、ＣＣＤ部６１ａ、ヒストグラム処理部６１ｂおよび誤差拡散処理部６１ｃを含んでいる。画像データ入力部６１はＣＣＤ２７から得られた原稿の画像データを２値化変換し、２値のデジタル量としてヒストグラムをとりながら誤差拡散法により画像データを処理する。処理した画像データは画像メモリ６４に一旦記憶させる。
【００５０】
即ち、ＣＣＤ部６１ａでは、画像データの各画素濃度に応じたアナログ電気信号が、Ａ
／Ｄ変換されたのち、ＭＴＦ補正、白黒補正またはガンマ補正され、２５６階調（８ビット）のデジタル信号としてヒストグラム処理部６１ｂへ出力される。
【００５１】
ヒストグラム処理部６１ｂでは、ＣＣＤ部６１ａから出力されたデジタル信号が２５６階調の画素濃度別に加算され、これにより濃度情報（ヒストグラムデータ）が得られる。このヒストグラムデータは、画素データとして誤差拡散処理部６１ｃへ送られ、また必要に応じてＣＰＵ６５へ送られる。
【００５２】
誤差拡散処理部６１ｃでは、疑似中問処理の一種である誤差拡散法、即ち２値化の誤差を隣接画素の２値化判定に反映させる方法により、ＣＣＤ部６１ａから出力された８ビット／画素のデジタル信号が１ビット（２値）に変換され、原稿における局所領域濃度を忠実に再現するための再配分演算が行われる。
【００５３】
画像データ処理部６２は、多値化処理部６２ａ・６２ｂ、合成処理部６２ｃ、濃度変換処理部６２ｄ、変倍処理部６２ｅ、画像プロセス部６２ｆ、誤差拡散処理部６２ｇおよび圧縮処理部６２ｈを含んでいる。画像データ処理部６２は、入力された画像データをオペレータが希望する画像データに最終的に変換する処理部である。画像データは、最終的に変換された出力画像データとして画像メモリ６４に記憶されるまで、画像データ処理部６２にて処理される。但し、画像データ処理部６２に含まれている上述の各処理部は必要に応じて機能するものであり、機能しない場合もある。
【００５４】
多値化処理部６２ａ・６２ｂでは、誤差拡散処理部６１ｃで２値化されたデータが再度２５６階調に変換される。合成処理部６２ｃでは、画素毎の論理演算、即ち、論理和、論理積または排他的論理和の演算が選択的に行われる。この演算の対象となるデータは、画像メモリ６４に記憶されている画素データおよびパターンジェネレータ（ＰＧ）からのビットデータである。濃度変換処理部６２ｄでは、２５６階調のデータに対し、所定の階調変換テーブルに基づいて、入力濃度に対する出力濃度の関係が任意に設定される。
【００５５】
変倍処理部６２ｅでは、指示された変倍率に応じて、入力された既知データにて画素データの補間処理が行われる。これにより、変倍後の対象画素に対する画素データ（濃度値）が求められる。ここでは、副走査方向が変倍された後に主走査方向が変倍処理される。画像プロセス部６２ｆでは、入力された画素データに対して様々な画像処理が行われるとともに、データ列に対する特徴抽出等の情報収集が行われる。誤差拡散処理部６２ｇでは、画像データ入力部６１の誤差拡散処理部６１ｃと同様の処理が行われる。
【００５６】
圧縮処理部６２ｈでは、ランレングスという符号化により２値データが圧縮される。また、画像データの圧縮に関しては、最終的な出力画像データが完成した時点で最後の処理ループにおいて圧縮が機能する。
【００５７】
画像データ出力部６３は、復元部６３ａ、多値化処理部６３ｂ、誤差拡散処理部６３ｃおよびレーザ出力部６３ｄを含んでいる。画像データ出力部６３は、圧縮状態で画像メモリ６４に記憶されている画像データを復元し、もとの２５６階調に再度変換し、２値データより滑らかな中間調表現となる４値データの誤差拡散を行う。
【００５８】
復元部６３ａでは、圧縮処理部６２ｈにて圧縮された画像データが復元される。多値化処理部６３ｂでは、画像データ処理部６２の多値化処理部６２ａ・６２ｂと同様な処理が行われる。誤差拡散処理部６３ｃでは、画像データ入力部６１の誤差拡散処理部６１ｃと同様な処理が行われる。
【００５９】
レーザ出力部６３ｄでは、図示しないシーケンスコントローラからの制御信号に基づき
、デジタル画素データがレーザのオン／オフ信号に変換される。この信号に基づいてレーザ書込みユニット４１における半導体レーザがオン／オフ状態となり、感光体ドラム４４上に静電潜像が書き込まれる。
【００６０】
尚、画像データ入力部６１および画像データ出力部６３において扱われる画像データは、画像メモリ６４の容量の削減のため、基本的には２値データとして画像メモリ６４に記憶されているが、画像データの劣化を考慮して４値データに処理することも可能である。
【００６１】
デジタル複写機１の動作は前記メインＣＰＵ６５により制御されており、このメインＣＰＵ６５による制御系の構成は図５に示すものとなっている。
【００６２】
同図において、メインＣＰＵ６５には、デスク関係負荷６６、ＲＡＤＦ関係負荷６７、操作基板ユニット６８、ソータコントロールユニット６９、スキャナ関係負荷７０、プリンタ関係負荷７１および前記画像データ処理部６２が接続されている。
【００６３】
メインＣＰＵ６５は、上記の各部をシーケンス制御により管理し、制御の際に各部へ制御信号を出力している。デスク関係負荷６６は、カセット給紙装置４６・４７や手差し給紙装置４８、後処理装置５１のソータにおけるモータ、クラッチ等の負荷である。ＲＡＤＦ関係負荷６７は、ＲＡＤＦ２２におけるモータ、クラッチおよびスイッチ等の負荷である。スキャナ関係負荷７０は、スキャナユニット２３におけるモータおよびソレノイド等の負荷である。プリンタ関係負荷７１は、電子写真プロセス部４２におけるモータ、ソレノイドおよび高圧電源等の負荷である。
【００６４】
ソータコントロールユニット６９は、ＣＰＵを備え、メインＣＰＵ６５からの制御信号に基づいてソータの動作を制御するものである。
【００６５】
操作基板ユニット６８は、デジタル複写機１に対しての操作者による複写モード等の各種設定や指令等の入力部であり、ＣＰＵを備えている。この操作基板ユニット６８は、操作者が入力により設定した例えば複写モードに応じた制御信号をメインＣＰＵ６５に転送する。メインＣＰＵ６５は、上記制御信号に基づき、デジタル複写機１を上記モードに応じて動作させる。一方、メインＣＰＵ６５は、操作基板ユニット６８へデジタル複写機１の動作状態を示す制御信号を転送する。操作基板ユニット６８は、上記制御信号に基づき、デジタル複写機１が現在どのような動作状態にあるのかを操作者に示すため、その状態を表示部により表示する。
【００６６】
また、画像データ処理部６２に接続された前記画像メモリ６４は、例えば半導体メモリからなるメインメモリ６４ａとハードディスク６４ｂとから構成されている。メインメモリ６４ａには画像データ通信ユニットが接続されている。この画像データ通信ユニット７２は、他のデジタル情報機器との画像データおよび画像制御信号等の情報通信を可能にするために設けられたものである。
【００６７】
前記操作基板ユニット６８は、図６に示す操作パネル７３を備えている。操作基板ユニット６８は、操作パネル７３を通じて操作者から入力された複写モードの指定等の情報をメインＣＰＵ６５に出力する。この情報に応じてメインＣＰＵ６５はデジタル複写機１を動作させる。
【００６８】
操作パネル７３には、中央部にタッチパネル式の液晶表示装置８１が配置されている。液晶表示装置８１の画面上の一部には、画面切換え指示エリア８１ａが設けられている。この画面切換え指示エリア８１ａは、液晶表示装置８１の表示画面を画像編集機能選択用の画面に切り換える指示を入力するためのものである。このエリア８１ａを操作者が指で
直接押圧操作すると、後述のように、所望の機能を選択できるように、液晶表示装置８１の画面上に各種編集機能が一覧表示される。このとき、表示された各種編集機能の表示領域のうち、所望の編集機能の領域を操作者が指で押圧すると、その編集機能が設定される。
【００６９】
また、操作パネル７３には、図６における左端位置に、液晶表示装置８１の画面の明るさを調整するための明るさ調整ダイヤル８２が設けられている。このダイヤル８２と液晶表示装置８１との間には、倍率自動設定キー８３、ズームキー８４、固定倍率キー８５・８６、等倍キー８７、両面モード設定キー８８および後処理モード設定キー８９が設けられている。
【００７０】
倍率自動設定キー８３は複写倍率を自動的に選択するモードを設定するためのものであり、ズームキー８４は複写倍率を１％きざみで設定するためのものである。固定倍率キー８５・８６は固定倍率を選択するためのものであり、等倍キー８７は複写倍率を標準倍率（等倍）に戻すためのものである。また、両面モード設定キー８８は両面モードを設定するためのものであり、後処理モード設定キー８９は所定の後処理モードを設定するためのものである。
【００７１】
液晶表示装置８１付近には、濃度切換えキー９０、濃度調整キー９１およびトレイ選択キー９２が設けられている。濃度切換えキー９０は、コピー濃度調整を自動から手動、または写真モードへと切り換えるためのものである。濃度調整キー９１は、手動モードまたは写真モードの時に濃度レベルを細かく設定するためのものである。トレイ選択キー９２は、カセット給紙装置４６・４７および手差し給紙装置４８のうちから、使用する給紙装置、即ち使用するサイズの記録シートを選択するためのものである。
【００７２】
液晶表示装置８１の同図における右方位置には、テンキー９３、クリアキー９４、プリントスイッチ９５、全解除キー９６、割り込みキー９７、操作ガイドキー９８、メッセージ順送りキー９９、メモリ送信モードキー１００、モード切換えキー１０１、ワンタッチダイヤルキー１０２が設けられている。
【００７３】
テンキー９３は複写枚数等を設定するためのものであり、クリアキー９４は、複写枚数をクリアしたり、連続コピーを途中で止める時に操作するものである。プリントスイッチ９５はコピーの開始を指示するためのものであり、全解除キー９６は、現在設定されているモードの全てを解除して標準状態に復帰させるためのものである。割り込みキー９７は連続コピー中に別の原稿に対するコピーを行いたい時に操作するものである。操作ガイドキー９８は、デジタル複写機１の操作が分からない時に操作するものであり、これが操作されると、デジタル複写機１の操作方法が液晶表示装置８１に表示される。メッセージ順送りキー９９は、操作ガイドキー９８の操作により表示されたメッセージの表示を順送りしながら切り換えるためのものである。
【００７４】
メモリ送信モードキー１００、モード切換えキー１０１およびワンタッチダイヤルキー１０２はファクシミリモードに関する設定キーである。メモリ送信モードキー１００は送信原稿を一旦メモリに蓄えてから送信することを指定するものである。モード切換えキー１０１は、デジタル複写機１の動作モードをコピー／プリンタ／ファックス／携帯電話送信等の各モードから選択し、切り換えるためのものである。ワンタッチダイヤルキー１０２は、予めデジタル複写機１に電話番号を記憶させておいた送信先に対し、ワンタッチ操作で電話を発信させるためのものである。
【００７５】
尚、上記各種キーの種類および配置等に関する上記操作パネル７３の構成は、あくまでも一例であり、デジタル複写機１に搭載される各種機能に応じて異なったものとなる。
【００７６】
また、デジタル複写機１は、図２に示したように、装着部１ａにおいて携帯電話２を着脱可能となっている。装着部１ａには、前記画像データ通信ユニット７２が設けられている。この画像データ通信ユニット７２は、例えば通常のファクシミリ通信等において用いられるモデム装置である。画像データ通信ユニット７２にて変調された画像データは、携帯電話２に入力され、この携帯電話２を通じて他の通信装置に送信されるようになっている。このため、画像データ通信ユニット７２および携帯電話２は、図７に示すように、相互に接続するためのコネクタ７２ａおよびコネクタ２ａを備えている。また、携帯電話２は、表示部１３３、アンテナ１３４、０〜９の番号のダイヤルキー１３５、リダイヤルキー１３６、および所定の指令を入力する入力キー１３７等を備えている。リダイヤルキー１３６は、通常の電話器に設けられているように、前回ダイヤルした呼び出し相手を再度呼び出す場合に、操作するものであり、呼び出し操作を簡略化するためのものである。
【００７７】
上記画像データは、例えば次のようにして画像データ通信ユニット７２に供給される。即ち、送信する原稿がＲＡＤＦ２２にセットされ、プリントスイッチ９５がＯＮされると、スキャナ部１１は原稿画像の読み取りを行う。これにより得られた画像データは、画像処理部１３にて適宜処理された後、画像メモリ６４に順次取り込まれる。一方、携帯電話２では、操作パネル７３において入力された送信相手先の呼出しを行い、その相手先との接続を完了する。その後、画像メモリ６４に格納された画像データが画像データ通信ユニット７２に供給され、上述した画像データの送信が行われる。
【００７８】
尚、画像処理部１３は、画像データを単に画像データ通信ユニット７２を経由して携帯電話２に供給するばかりでなく、送信相手先である通信装置が扱い得る形式に画像データを変換して供給することもできるようになっている。
【００７９】
上記のような動作を可能とするため、デジタル複写機１と携帯電話２とにより図１に示す制御回路が構成されている。デジタル複写機１には、デジタル複写機全体を管理する前記メインＣＰＵ６５と、操作基板ユニット６８を管理する表示ＣＰＵ１２１とが設けられ、表示ＣＰＵ１２１には表示用のメモリ１２２が接続されている。メインＣＰＵ６５は前述したように、スキャナ部１１、レーザプリンタ部１２、画像メモリ６４を含む画像処理部１３およびその他の各部の動作を管理している。メインＣＰＵ６５は表示ＣＰＵ１２１と互いに通信可能であり、操作基板ユニット６８の操作パネル７３から入力される操作者からの指示に基づいて、各種動作モードを設定し、デジタル複写機１の全体の動作を管理できるようになっている。
【００８０】
また、デジタル複写機１は、スキャナ部１１、メインＣＰＵ６５、画像メモリ６４、画像データ通信ユニット７２および操作パネル７３等により構成される画像送信手段としてのファックス機能部を備えている。このファックス機能部は、画像データ通信ユニット７２を含む構成となっている。この場合、画像データ通信ユニット７２は、電話回線にも接続されている。
【００８１】
一方、携帯電話２は、ＣＰＵ１３１、メモリ１３２、表示部１３３およびアンテナ１３４等を備えている。ＣＰＵ１３１は、メモリ１３２および表示部１３３を含み、携帯電話２全体の動作を管理するものである。画像データ通信ユニット７２を経てデジタル複写機１から転送されてくる画像データは、メモリ１３２に記憶される。
【００８２】
また、上記装着部１ａには、装着部１ａからの不用意な携帯電話２の取り外しを防止するためのロック機構１１１が設けられている。このロック機構１１１は、それぞれ一対のロック爪１１２、弾性部材であるばね１１３および偏心カム１１４を備えるとともに、この偏心カム１１４を駆動するカム駆動装置１１５および一対の携帯電話装着センサ１１６
・１１６を備えている。
【００８３】
ロック爪１１２は、装着部１ａに装着された携帯電話２の一方の側部と他方の側部とに対向して設けられている。ロック爪１１２は、下部が装着部１ａに回転自在に取り付けられており、上部に形成された爪部１１２ａが互いに対向している。この爪部１１２ａに対応し、携帯電話２には、爪部１１２ａと嵌合可能な凹部２ｂが形成されている。ばね１１３は、ロック爪１１２の上部を、携帯電話２から離間する方向へ引っ張っている。
【００８４】
偏心カム１１４は、ロック爪１１２と接触しており、その回転もしくは揺動によるロック爪１１２への押圧動作にて、ばね１１３の引張り力に抗して、ロック爪１１２を携帯電話２方向へ回転させるものである。偏心カム１１４が上記押圧動作を行うとき、装着部１ａに装着されている携帯電話２の凹部２ｂに、ロック爪１１２の爪部１１２ａが嵌合され、装着部１ａからの携帯電話２の取り外しが不能となる。これは、ロック機構１１１のロック状態である。一方、偏心カム１１４による上記押圧動作が解除されたとき、ロック爪１１２はばね１１３に引っ張られて携帯電話２から離間する。この結果、装着部１ａからの携帯電話２の取り外しが可能となる。これは、ロック機構１１１のロック解除状態である。
【００８５】
携帯電話装着センサ１１６は、装着部１ａへの携帯電話２の装着状態および非装着状態を検出するものである。携帯電話装着センサ１１６の検出信号は、メインＣＰＵ６５へ入力される。メインＣＰＵ６５は、携帯電話装着センサ１１６にて上記装着状態が検出され、かつデジタル複写機１がロック要求状態であるとき、偏心カム１１４にて前記押圧動作が行わせるように、前記カム駆動装置１１５を制御する。一方、携帯電話装着センサ１１６にて上記非装着状態が検出され、かつデジタル複写機１がロック要求状態でないとき、偏心カム１１４による前記押圧動作が解除されるように、前記カム駆動装置１１５を制御する。これにより、デジタル複写機１のロック要求状態において、誤って携帯電話２がデジタル複写機１から取り外される事態を防止することができる。
【００８６】
本参考例においては、上記ロック要求状態を、デジタル複写機１と携帯電話２とが画像データ等の送受信のための通信中である場合としている。
【００８７】
尚、ロック機構１１１に代わるものとしては、装着部１ａへの携帯電話２の装着時に携帯電話２をカバーにより覆ってしまい、このカバーの開閉機構を前記ロック状態においてロックする機構としてもよい。
【００８８】
上記の構成において、本デジタル画像形成システムの具体的な動作を以下に説明する。
【００８９】
本デジタル画像形成システムでは、デジタル複写機１が保持する画像データを携帯電話２に転送し、携帯電話２を通じて他の通信装置に送信し得るようになっている。この動作は、画像送信モードによる動作である。この画像送信モードでは、デジタル複写機１に携帯電話２を装着した状態にてデジタル複写機１から携帯電話２に画像データを転送し、その後、携帯電話２をデジタル複写機１から取り外した状態とし、携帯電話２から他の通信装置へ画像データを転送する動作が可能である。
【００９０】
先ず、携帯電話送信モードにおいて、スキャナ部１１にて読み取った原稿の画像データを携帯電話２に転送する動作を、図８および図９のフローチャートにより説明する。
【００９１】
この動作の際には、操作者により予め操作パネル７３から、原稿画像を携帯電話２を使用して他の通信装置に送信することを指令する入力、即ち携帯電話送信モードを指令する入力、並びに送信相手先を指定する入力が行われる。その後、原稿が例えばＲＡＤＦ２２
にセットされ、プリントスイッチ９５がＯＮされると（Ｓ１）、メインＣＰＵ６５は、携帯電話装着センサ１１６の検出信号に基づいて、携帯電話２がデジタル複写機１の装着部１ａに装着されているか否かを確認する（Ｓ２）。
【００９２】
このとき、携帯電話２が装着部１ａに装着されていなければ、画像送信モードが設定されているか否かを確認する（Ｓ３）。この確認の結果、画像送信モードが設定されていれば、液晶表示装置８１により携帯電話２の装着を操作者に促す表示が行われる（Ｓ４）。デジタル複写機１は携帯電話２の装着が行われるまで待機する。上記表示は、メインＣＰＵ６５からの指令に基づいて、表示ＣＰＵ１２１が液晶表示装置８１を制御することにより行われる。一方、Ｓ３において、画像送信モードが設定されていなければ、原稿をコピーするコピーモードが設定されているものと判断し、その動作に移行する。
【００９３】
また、Ｓ２において、携帯電話２が装着部１ａに装着されていれば、原稿が例えばＲＡＤＦ２２にセットされているか否かを判定する（Ｓ５）。この判定の結果、原稿がセットされていなければ、液晶表示装置８１において、原稿のセットを促す表示が行われる（Ｓ６）。尚、Ｓ２において携帯電話２が装着部１ａに装着されているとき、ロック機構１１１は携帯電話２に対して前述のロック状態となる。
【００９４】
また、Ｓ５において、原稿がＲＡＤＦ２２にセットされていれば、原稿の走査を開始する（Ｓ７）。この結果、原稿の画像は順次読み取られ、得られた画像データが画像処理部１３の画像メモリ６４に格納される（Ｓ８）。
【００９５】
このようにして、全原稿の画像データが画像メモリ６４に格納されると（Ｓ９）、メインＣＰＵ６５は、携帯電話２のＣＰＵ１３１と通信することにより、携帯電話２が取り扱うことのできる画像データの形式、および携帯電話２のメモリ１３２の記憶容量を確認する（Ｓ１０）。この確認の結果、メモリ１３２がデジタル複写機１から転送しようとする画像データを記憶するだけの容量を有している場合、メインＣＰＵ６５は、画像メモリ６４に格納されている画像データを携帯電話２が取り扱うことのできる形式に変換し（Ｓ１１）、携帯電話２に転送する（Ｓ１２）。このとき、液晶表示装置８１には画像データの転送中を示すメッセージが表示される。一方、上記画像データ量に対してメモリ１３２の記憶容量か不足する場合、その旨を液晶表示装置８１に表示させて、処理を中止する。
【００９６】
上記のようにして、デジタル複写機１から携帯電話２への画像データの転送が完了すると（Ｓ１３）、液晶表示装置８１によりその旨を示すメッセージの表示が行われる（Ｓ１４）。このとき、ロック機構１１１は携帯電話２に対して前述のロック解除状態となる。
【００９７】
その後、上記メッセージに基づいて、操作者により携帯電話２がデジタル複写機１から取り外されると（Ｓ１５）、画像メモリ６４に格納されている画像データが消去される（Ｓ１６）。
【００９８】
操作者は、携帯電話２をデジタル複写機１から取り外した後に、携帯電話２に搭載されている各種処理機能を使用することにより、ＣＰＵ１３１に格納された画像データに対して、さらなる処理を施したり、消去することなく保存しておいたり、あるいは他の通信装置に送信したり（画像送信モード）といった処理を行うことができる。
【００９９】
携帯電話送信モードにおいて、携帯電話２は図１０および図１１のフローチャートに示す動作を行う。同図に示すＳ２１〜Ｓ２８は、携帯電話２が、デジタル複写機１に装着されているときに、デジタル複写機１から転送された画像データを受信するときの動作である。また、Ｓ２９〜Ｓ３９は、携帯電話２が、デジタル複写機１から画像データを受信した後に取り外され、単独で他の通信装置に画像データを送信する動作である。
【０１００】
図１０および図１１において、携帯電話２のＣＰＵ１３１は、先ず、携帯電話２がデジタル複写機１に装着されているか否かを判定する（Ｓ２１）。この判定は、例えばＣＰＵ１３１がデジタル複写機１のメインＣＰＵ６５と通信可能状態であるか否かによって行う。
【０１０１】
携帯電話２がデジタル複写機１に装着されている場合、ＣＰＵ１３１はメモリ１３２の容量を確認し（Ｓ２２）、このメモリ１３２の容量、および携帯電話２が取り扱うことのできる画像データの形式についての情報をデジタル複写機１のメインＣＰＵ６５に送信する（Ｓ２３）。その後、携帯電話２は、デジタル複写機１からのデータの受信状態となり、待機する（Ｓ２４）。
【０１０２】
次に、ＣＰＵ１３１は、デジタル複写機１から画像データを受信すると（Ｓ２５）、この画像データをメモリ１３２に記憶させる（Ｓ２６）。このとき、ＣＰＵ１３１は、さらに画像データがメモリ１３２に記憶されていることを示す、画像データありのメッセージを表示部１３３に表示させる（Ｓ２７）。
【０１０３】
その後、携帯電話２が操作者によりデジタル複写機１から取り外されると（Ｓ２８）、デジタル複写機１からの画像データの受信動作を終了し、通常処理モードの待機ルーチンへ移行する。
【０１０４】
また、Ｓ２１において携帯電話２がデジタル複写機１に装着されておらず、かつ画像送信モードが設定されている場合には（Ｓ２９）、メモリ１３２における、デジタル複写機１から転送された画像データの有無を確認する（Ｓ３０）。この結果、メモリ１３２に画像データが格納されていれば、ＣＰＵ１３１は画像データの送信相手先を示す送信先情報をセットする（Ｓ３１）。
【０１０５】
その後、操作者の操作により、携帯電話２において発信指示が入力されると（Ｓ３２）、携帯電話２は画像データの発信手続を開始する（Ｓ３３）。
【０１０６】
次に、送信先との接続が完了すると（Ｓ３４）、ＣＰＵ１３１は、メモリ１３２に格納されている画像データの送信を開始する（Ｓ３５）。このときの画像データの送信は、携帯電話２が備える図示しない変調回路と通信装置、およびアンテナ１３４等により行われる。
【０１０７】
その後、画像データの送信が完了すると（Ｓ３６）、ＣＰＵ１３１は、送信先との通信を遮断し（Ｓ３７）、通常処理モードの待機ルーチンへ移行する。尚、Ｓ３４において、送信先との接続ができなければ、再発信モードを設定し（Ｓ３９）、これができるまで、発信手続を継続する。
【０１０８】
一方、Ｓ３０において、送信すべき画像データがメモリ１３２に格納されていなければ（Ｓ３８）、動作を終了して通常処理モードの待機ルーチンへ移行する。
【０１０９】
上記の動作では、例えば出先において、そこに配置されたデジタル複写機１と共にデジタル画像形成システムを構成し得る携帯電話２を携帯すれば、スキャナ装置を出先に携帯することなく、出先のデジタル複写機１を使用して原稿の画像を携帯電話２に容易に取り込むことができる。また、携帯電話２に取り込んだ画像データは、携帯電話２から任意の時刻に任意の場所から送信先に送信することができる。即ち、デジタル複写機１が設置された位置、あるいはデジタル複写機１の使用可能な時間等に拘束されることなく、送信先への画像データの送信が可能となる。
【０１１０】
また、デジタル複写機１から携帯電話２に画像データを転送する場合には、画像データを携帯電話２が取り扱うことのできる形式にデジタル複写機１側にて変換した後、携帯電話２に転送している。従って、小型化が要求される携帯電話２では、画像データを変換する構成が不要となって構成が簡略化されるとともに、画像データを記憶するメモリ１３２の使用量も最小限に抑えることができる。従って、携帯電話２の小型化が阻まれることがない。
【０１１１】
また、デジタル複写機１から携帯電話２に画像データを転送する場合には、携帯電話２のメモリ１３２がデジタル複写機１から転送しようとする画像データを記憶するだけの容量を有しているか否かを確認し、メモリ１３２が画像データを記憶可能な容量を有している場合に、デジタル複写機１から携帯電話２に画像データを転送する一方、容量が不足する場合に、画像データの転送を中止している。従って、デジタル複写機１から携帯電話２への画像データの無駄な転送、およびメモリ１３２への画像データの無駄な取り込みを防止することができる。また、メモリ１３２のデータオーバによるデジタル画像形成システムの動作の停止等のトラブルを事前に阻止することができる。
【０１１２】
尚、上記の例においては、携帯電話２がデジタル複写機１に対して着脱可能な構成について説明した。しかしながら、携帯電話２は、例えば赤外線通信によってデジタル複写機１と通信可能であってもよく、必ずしもデジタル複写機１に対して着脱可能である必要はない。携帯電話２は、上記赤外線通信による場合を含み、デジタル複写機１と通信可能となる場合、デジタル複写機１と対向可能となる。
【０１１３】
〔参考例２〕
本発明の他の参考例を図１２および図１３に基づいて、以下に説明する。
【０１１４】
本デジタル画像形成システムでは、前記画像送信モードによる動作に代えて、図１２および図１３に示す携帯電話送信モードによる動作が可能となっている。他の構成は、前記デジタル画像形成システムと同様である。
【０１１５】
携帯電話送信モードによる動作では、先ず、デジタル複写機１に携帯電話２が装着された状態において、デジタル複写機１のスキャナ部１１にて読み取られた原稿の画像データについて、携帯電話２を通じて特定の送信先への送信動作が行われる。このとき、携帯電話２が送信先の他の通信装置と送信のための接続ができなければ、デジタル複写機１の画像メモリ６４に格納されている画像データを携帯電話２に転送し、携帯電話２のメモリ１３２に格納する。これにより、その後、携帯電話２から特定の送信先への画像データの送信が可能となる。
【０１１６】
次に、この携帯電話送信モードによる動作を図１２および図１３のフローチャートにより説明する。
【０１１７】
例えば通常処理モードの待機状態において、操作者によりデジタル複写機１に携帯電話２が装着されると（Ｓ４１）、デジタル画像形成システムにおいて携帯電話送信モードが設定され、この状態が液晶表示装置８１に表示される（Ｓ４２）。
【０１１８】
その後、送信用の原稿が例えばＲＡＤＦ２２にセットされ（Ｓ４３）、送信先を示す情報が操作パネル７３のワンタッチダイヤルキー１０２から入力され（Ｓ４４）、プリントスイッチ９５がＯＮされると（Ｓ４５）、スキャナ部１１にて原稿の読み取りを行う（Ｓ４６）。これにより得られた画像データは、画像メモリ６４に格納される（Ｓ４７）。その後、原稿の読み取りが完了すると（Ｓ４８）、ロック機構１１１が携帯電話２をロック
状態とする（Ｓ４９）。
【０１１９】
その後、携帯電話２から送信先に対して接続のための呼び出しが行われ（Ｓ５０）、携帯電話２が送信先と接続できれば（Ｓ５１）、携帯電話２を通じて、画像メモリ６４に格納されている画像データを順次相手先に送信する（Ｓ５２）。
【０１２０】
次に、画像データの送信が完了すると（Ｓ５３）、携帯電話２が送信先との接続を遮断し（Ｓ５４）、ロック機構１１１が携帯電話２に対してロック解除状態となる（Ｓ５５）。その後、画像データの送信完了のメッセージ表示が行われるとともに、携帯電話送信モードが解除される（Ｓ５６）。
【０１２１】
また、Ｓ５１において、携帯電話２が送信先と接続できなければ、デジタル複写機１のメインＣＰＵ６５は、液晶表示装置８１にその旨を表示させる（Ｓ５７）。また、メインＣＰＵ６５は、画像メモリ６４が格納している画像データを携帯電話２に転送する旨を液晶表示装置８１に表示させる（Ｓ５８）。また、メインＣＰＵ６５は、携帯電話２のＣＰＵ１３１と通信することにより、携帯電話２が扱い得るデータの形式、およびメモリ１３２の容量を確認する（Ｓ５９）。尚、メモリ１３２に上記画像データを記憶するだけの容量がなければ、処理を中止する一方、上記画像データを記憶するだけの容量があれば、処理を続行する。
【０１２２】
その後、メインＣＰＵ６５は、画像メモリ６４に格納されている画像データを携帯電話２が取り扱うことのできる形式に変換し（Ｓ６０）、携帯電話２に転送する（Ｓ６１）。このとき、画像データと共に、送信先を示す送信先情報も同時に転送する。また、液晶表示装置８１には画像データの転送中を示すメッセージが表示される。携帯電話２に送られた送信先情報は、携帯電話２のメモリ１３２に記憶される。この送信先情報は、携帯電話２のリダイヤルキー１３６を操作することにより呼び出される。従って、携帯電話２から画像データを送信する場合に、操作者によるダイヤルキー１３５の操作が不要となる。
【０１２３】
このようにして、デジタル複写機１から携帯電話２への画像データの転送が完了すると（Ｓ６２）、液晶表示装置８１によりその旨を示すメッセージの表示が行われる（Ｓ６３）。このとき、ロック機構１１１はロック解除状態となる。
【０１２４】
その後、上記メッセージに基づいて、操作者により携帯電話２がデジタル複写機１から取り外されると（Ｓ６４）、画像メモリ６４に格納されている画像データが消去される（Ｓ６５）。
【０１２５】
操作者は、携帯電話２をデジタル複写機１から取り外した後に、携帯電話２に搭載されている各種処理機能を使用することにより、ＣＰＵ１３１に格納された画像データに対して、さらなる処理を施したり、消去することなく保存しておいたり、あるいは他の通信装置に送信したり（画像送信モード）といった処理を行うことができる。
【０１２６】
上記の動作では、デジタル複写機１の設置位置において特定の相手先への画像データの送信ができなかった場合であっても、携帯電話２を使用することにより、任意の場所から任意の時刻に送信先に画像データを送信することができる。従って、操作者は、画像データの送信が完了するまでその場で待機する必要がない。これにより、時間に追われている操作者、例えばビジネスマンは、デジタル複写機１が設置されている例えば出先において、時間を有効に使用することができる。
【０１２７】
また、上記の動作では、携帯電話２から画像データを特定の送信先に送信する場合、リダイヤルキー１３６を操作するのみでよく、ファックス番号のダイヤルキー１３５の操作
が不要である。従って、携帯電話２から画像データを特定の送信先に送信する場合の操作が簡単である。
【０１２８】
また、デジタル複写機１のファックス装置が特定の送信先と接続できなかった場合、液晶表示装置８１によりその旨を操作者に伝えた後、デジタル複写機１が保持する画像データを携帯電話２に転送している。従って、画像データの処理の行方を操作者が確認できる。これにより、操作者による操作上の混乱を防止することが可能となり、重要な原稿の画像データの送信ミスおよび未送信等の不都合を確実に防止することができる。
【０１２９】
また、デジタル複写機１から携帯電話２に画像データを転送する際には、送信先を示す送信先情報も同時に転送され、携帯電話２では、リダイヤルキー１３６を操作することにより送信先の呼び出しを行うことができるようになっている。従って、携帯電話２から画像データを送信する場合に、操作者によるダイヤルキー１３５の操作が不要となり、送信先の呼び出し操作が簡単である。
【０１３０】
〔参考例３〕
本発明のさらに他の参考例を図１４および図１５に基づいて、以下に説明する。
【０１３１】
本デジタル画像形成システムでは、図１４および図１５に示す携帯電話送信モードによる動作が可能となっている。他の構成は、前記デジタル画像形成システムと同様である。
【０１３２】
本デジタル画像形成システムでは、デジタル複写機１がファックス機能部を備えたものとなっている。上記ファックス機能部は、デジタル複写機１に一般的備えられている周知のものであり、デジタル複写機１の画像メモリ６４に格納されている画像データを他の通信装置に送信する機能である。
【０１３３】
携帯電話送信モードによる動作では、デジタル複写機１のスキャナ部１１にて読み取られた原稿の画像データについて、デジタル複写機１が備えるファックス機能部により特定の送信先への送信動作が行われる。このとき、ファックス機能部と送信先の他の通信装置と送信のための接続ができなければ、デジタル複写機１の画像メモリ６４に格納されている画像データを携帯電話２に転送し、携帯電話２のメモリ１３２に格納する。これにより、その後、携帯電話２から特定の送信先への画像データの送信が可能となる。
【０１３４】
次に、この携帯電話送信モードによる動作を図１４および図１５のフローチャートにより説明する。
【０１３５】
この動作においては、例えば通常処理モードの待機状態において、先ず、操作者によりデジタル複写機１の操作パネル７３に対して、原稿のファックス送信の指令、即ちファックスモードの指令がモード切換えキー１０１により入力される（Ｓ７１）。さらに、操作者により、送信相手先がワンタッチダイヤルキー１０２により入力され、例えばＲＡＤＦ２２に送信用の原稿がセットされる（Ｓ７２）。
【０１３６】
次に、送信動作の開始を指令するために、プリントスイッチ９５がＯＮされると（Ｓ７３）、スキャナ部１１による送信用原稿の読み取りを開始する（Ｓ７４）。これにより得られた画像データは、画像メモリ６４に格納される（Ｓ７５）。
【０１３７】
全ての原稿の読み取りが完了すると（Ｓ７６）、送信先に対して接続のための発信を行い（Ｓ７７）、送信先と接続ができれば（Ｓ７８）、画像メモリ６４に格納されている画像データの送信を開始する（Ｓ７９）。その後、画像データの送信が完了すると（Ｓ８０）、デジタル複写機１は通信回線を遮断し（Ｓ８１）、通常処理モードの待機ルーチンへ
移行する。
【０１３８】
また、Ｓ７８において、送信先と接続できなければ、液晶表示装置８１において、その旨の表示を行うとともに（Ｓ８２）、携帯電話２による送信の要否を問う表示を行う（Ｓ８３）。
【０１３９】
この表示に基づいてモード切換えキー１０１が操作され（Ｓ８４）、ファックス送信モードが設定された場合には（Ｓ８５）、ファックス機能部による再発信モードとなり（Ｓ９４）、Ｓ７７に移行して以下の動作を繰り返す。
【０１４０】
一方、Ｓ８５において携帯電話送信モードが設定されると、デジタル複写機１に携帯電話２が装着されているか否かを確認し（Ｓ８６）、携帯電話２が装着されていなければ、装着を促す表示を液晶表示装置８１にて行う（Ｓ８７）。
【０１４１】
デジタル複写機１に携帯電話２が装着されている場合、ロック機構１１１はロック状態となる。また、デジタル複写機１のメインＣＰＵ６５は、携帯電話２のＣＰＵ１３１と通信することにより、携帯電話２が扱い得るデータの形式、およびメモリ１３２の容量を確認する（Ｓ８８）。尚、前述のように、メモリ１３２に容量不足があれば処理を中止する一方、容量不足がなければ処理を続行する。
【０１４２】
その後、メインＣＰＵ６５は、画像メモリ６４に格納されている画像データを携帯電話２が取り扱うことのできる形式に変換し（Ｓ８９）、携帯電話２に転送する（Ｓ９０）。このとき、画像データと共に、送信先を示す送信先情報も同時に転送する。また、液晶表示装置８１には画像データの転送中を示すメッセージが表示される。携帯電話２に送られた送信先情報は、携帯電話２のメモリ１３２に記憶される。この送信先情報は、携帯電話２のリダイヤルキー１３６を操作することにより呼び出される。
【０１４３】
このようにして、デジタル複写機１から携帯電話２への画像データの転送が完了すると（Ｓ９１）、液晶表示装置８１によりその旨を示すメッセージの表示が行われる（Ｓ９２）。その後、画像メモリ６４に格納されている画像データが消去される（Ｓ９３）。また、ロック機構１１１はロック解除状態となる。これにより、操作者は、デジタル複写機１から携帯電話２を取り外し、送信先に対して画像データを適宜送信することができる。
【０１４４】
上記の動作では、デジタル複写機１の設置位置においてデジタル複写機１のファックス機能部を使用して特定の相手先への画像データの送信ができなかった場合であっても、携帯電話２を使用することにより、任意の場所から任意の時刻に送信先に画像データを送信することができる。従って、操作者は、画像データの送信が完了するまでその場で待機する必要がない。これにより、時間に追われている操作者、例えばビジネスマンは、デジタル複写機１が設置されている例えば出先において、時間を有効に使用することができる。
【０１４５】
また、上記の動作では、携帯電話２から画像データを特定の送信先に送信する場合、リダイヤルキー１３６を操作するのみでよく、ファックス番号のダイヤルキー１３５の操作が不要である。携帯電話２から画像データを特定の送信先に送信する場合の操作が簡単である。
【０１４６】
また、デジタル複写機１のファックス機能部が特定の送信先と接続できなかった場合、液晶表示装置８１によりその旨を操作者に伝え、操作者が画像データをデジタル複写機１から携帯電話２に転送するか、デジタル複写機１に保持しておき、再発信によりデジタル複写機１から送信するかを選択できるようになっている。従って、画像データの処理の行方を操作者が確認でき、重要な原稿の画像データの送信ミスおよび未送信等の不都合を確
実に防止することができる。また、操作者の時間的余裕、あるいは操作者のデジタル画像形成システムの使用位置、例えば自分のオフィスであるか出先であるか等に応じて、最適な方法にて送信先への画像データの送信を行うことができる。
【０１４７】
また、デジタル複写機１のファックス機能部により送信先との接続ができない場合には、その旨を操作者に伝え、ファックス機能部の再発信モードによる接続を試みるか、携帯電話２による画像データの送信に移行するかを操作者に促すようにしている。これにより、操作者の操作上の混乱を防止し、重要な原稿の画像データの送信ミスおよび未送信等の不都合を確実に防止することができる。また、操作者がそのときに適当な経路での画像データの送信を選択することができる。
【０１４８】
〔参考例４〕
本発明のさらに他の参考例を図１６および図１７に基づいて、以下に説明する。
【０１４９】
本デジタル画像形成システムでは、図１６および図１７に示す画像送信モードによる動作が可能となっている。他の構成は、前記デジタル画像形成システムと同様である。
【０１５０】
本デジタル画像形成システムでは、デジタル複写機１が前記参考例３において説明したものと同様のファックス機能部を備えている。
【０１５１】
画像送信モードによる動作では、デジタル複写機１のスキャナ部１１にて読み取られた原稿の画像データを特定の送信先に送信する場合において、デジタル複写機１が、デジタル複写機１への携帯電話２の装着の有無に応じて、携帯電話２による送信を行うか、あるいはファックス機能部による送信を行うかを自動的に選択するものとなっている。
【０１５２】
次に、この画像送信モードによる動作を図１６および図１７のフローチャートにより説明する。
【０１５３】
この動作においては、例えば通常処理モードの待機状態において、先ず、操作者によりプリントスイッチ９５がＯＮされると（Ｓ１０１）、デジタル複写機１が画像送信モードに設定されているか否かを確認する（Ｓ１０２）。この画像送信モードの設定は、モード切換えキー１０１によって行われる。
【０１５４】
Ｓ１０２において、画像送信モードが設定されていると、送信用原稿の読み取りを行い（Ｓ１０３）、得られた画像データを画像メモリ６４が記憶する（Ｓ１０４）。その後、全ての原稿についての読み取りが完了すると（Ｓ１０５）、携帯電話２の装着の有無を確認する（Ｓ１０６）。
【０１５５】
この確認の結果、デジタル複写機１に携帯電話２が装着されていれば、ロック機構１１１はロック状態となる。また、デジタル複写機１のメインＣＰＵ６５は、携帯電話２のＣＰＵ１３１と通信することにより、携帯電話２が扱い得るデータの形式、およびメモリ１３２の容量を確認する（Ｓ１０７）。尚、前述のように、メモリ１３２に容量不足があれば処理を中止する一方、容量不足がなければ処理を続行する。
【０１５６】
その後、メインＣＰＵ６５は、画像メモリ６４に格納されている画像データを携帯電話２が取り扱うことのできる形式に変換し（Ｓ１０８）、携帯電話２に転送する（Ｓ１０９）。このとき、Ｓ１０２での画像送信モードの設定の際に、画像データの送信先を示す送信先情報が入力されていれば、画像データと共にこの送信先情報も同時に転送する。また、液晶表示装置８１には画像データの転送中を示すメッセージが表示される。携帯電話２に送られた送信先情報は、携帯電話２のメモリ１３２に記憶される。この送信先情報は、
携帯電話２のリダイヤルキー１３６を操作することにより呼び出される。
【０１５７】
このようにして、デジタル複写機１から携帯電話２への画像データの転送が完了すると（Ｓ１１０）、液晶表示装置８１によりその旨を示すメッセージの表示が行われる（Ｓ１１１）。その後、ロック機構１１１はロック解除状態となる。
【０１５８】
これにより、操作者は、デジタル複写機１から携帯電話２を取り外し可能となり、デジタル複写機１が携帯電話２が取り外されると（Ｓ１１２）、画像メモリ６４に格納されている画像データが消去される（Ｓ１１３）。この状態において、操作者は、携帯電話２から送信先に対して画像データを適宜送信することができる。尚、画像データ送信の際して、携帯電話２に送信先情報が予め入力されている場合には、リダイヤルキー１３６の操作によって発信を行うことができる。一方、携帯電話２に送信先情報が予め入力されていない場合には、ダイヤルキー１３５の操作によって発信を行う。
【０１５９】
一方、Ｓ１０６において、携帯電話２が装着されていない場合に、ワンタッチダイヤルキー１０２を使用しての操作者による送信先情報の入力（Ｓ１１４）、および発信指示があれば（Ｓ１１５）、デジタル複写機１はその機能により、画像データの発信手続を開始する（Ｓ１１６）。このとき、送信先と接続できなければ（Ｓ１１７）、再発信モードとなり（Ｓ１２３）、Ｓ１１６に戻り、それ以下の動作を繰り返す。
【０１６０】
また、Ｓ１１７において、デジタル複写機１のファックス機能部が送信先と接続できれば、画像データの送信を行い（Ｓ１１８）、画像データの送信完了後（Ｓ１１９）、デジタル複写機１は送信先との通信を遮断する（Ｓ１２０）。
【０１６１】
また、Ｓ１０２において、デジタル複写機１が画像送信モードに設定されていなければ、スキャナ部１１にて原稿の読み取りを行い（Ｓ１２１）、得られた画像データに対して画像処理部１３にて所定の画像処理を行い、その画像データを画像メモリ６４が記憶する（Ｓ１２２）。次に、デジタル複写機１は、画像メモリ６４に記憶された画像データを読み出し、レーザプリンタ部１２にて用紙上に画像を出力する（Ｓ１２３）。その後、デジタル複写機１は、全原稿についての上記の処理が完了すれば（Ｓ１２４）、動作を終了する。
【０１６２】
上記の動作では、デジタル複写機１への携帯電話２の装着の有無に応じて、携帯電話２を使用しての画像データの送信、またはデジタル複写機１のファックス機能部を使用しての画像データの送信が自動的に選択される。従って、操作者の操作についての負担を軽減し得るとともに、ユーザのモード設定ミスを事前に防止することが可能となる。
【０１６３】
また、携帯電話２を使用して画像データの送信を行う場合には、前述のように、画像データを携帯電話２から任意の時刻に任意の場所から送信先に送信することができる。
【０１６４】
〔参考例５〕
本発明のさらに他の参考例を図１８ないし図２０に基づいて以下に説明する。
【０１６５】
本デジタル画像形成システムでは、デジタル複写機１が、前述のように、ファックス機能部を備えている。そして、本デジタル画像形成システムでは、デジタル複写機１のスキャナ部１１により得られた画像データを他の通信装置に送信する際に、デジタル複写機１に携帯電話２が装着されている場合、上記ファックス機能部によらず、自動的に携帯電話２による送信を選択するものとなっている。この動作を図１８および図１９のフローチャートに示す。
【０１６６】
例えば通常処理モードの待機状態において、操作者によりデジタル複写機１の装着部１ａに携帯電話２が装着されると（Ｓ１３１）、デジタル画像形成システムにおいて携帯電話送信モードが設定され、この携帯電話送信モードが設定された状態が液晶表示装置８１に表示される（Ｓ１３２）。このとき、液晶表示装置８１においては、携帯電話２によるファックスが可能であること、およびＲＡＤＦ２２への原稿のセットを促すことを示すメッセージが表示される。尚、携帯電話２の装着は、前述のように、携帯電話装着センサ１１６・１１６により検出される。
【０１６７】
その後、送信用の原稿が例えばＲＡＤＦ２２にセットされ（Ｓ１３３）、送信先を示す情報が操作パネル７３のワンタッチダイヤルキー１０２から入力され（Ｓ１３４）、プリントスイッチ９５がＯＮされると（Ｓ１３５）、スキャナ部１１にて原稿の読み取りを行う（Ｓ１３６）。これにより得られた画像データは、画像メモリ６４に格納される（Ｓ１３７）。その後、全ての原稿の読み取りが完了すると（Ｓ１３８）、ロック機構１１１が携帯電話２をロック状態とする（Ｓ１３９）。
【０１６８】
その後、携帯電話２から送信先に対して接続のための呼び出しが行われ（Ｓ１４０）、携帯電話２が送信先と接続できれば（Ｓ１４１）、画像メモリ６４に格納されている画像データが画像データ通信ユニット７２により変調され、携帯電話２に転送される。携帯電話２は、デジタル複写機１から転送されてきた画像データを順次相手先に送信する（Ｓ１４２）。
【０１６９】
次に、画像データの送信が完了すると（Ｓ１４３）、携帯電話２が送信先との接続を遮断し（Ｓ１４４）、ロック機構１１１が携帯電話２に対してロック解除状態となる（Ｓ１４５）。その後、液晶表示装置８１において送信完了の表示が行われるとともに、携帯電話送信モードが解除される（Ｓ１４６）。上記の表示に基づいて、操作者はデジタル複写機１から携帯電話２を取り外すことができる。
【０１７０】
上記の構成では、デジタル複写機１のファックス機能部を使用しての画像データの送信動作と携帯電話２を使用しての画像データの送信動作とを、携帯電話２による画像データの送信動作において必要な動作、即ちデジタル複写機１への携帯電話２の装着動作によって切り換えるようになっている。従って、操作者による切り換え動作が簡略化されている。
【０１７１】
また、デジタル複写機１が保持する画像データを携帯電話２を通じて特定の送信先へ送信する動作においては、デジタル複写機１の画像メモリ６４から順次読み出された画像データが携帯電話２に転送され、そのメモリ１３２に一旦記憶されることなく、順次送信先へ送信されていくので、迅速な送信が可能となっている。また、この動作においては、携帯電話２において画像データを記憶するメモリ１３２が不要となっている。
【０１７２】
また、上記の構成では、デジタル複写機１を多数の人が利用可能な場所、例えばコピーサービスを行っているコンビニエンスストアーやその他の店舗等に設置しておけば、現在広く普及している携帯電話２を利用して、多数の人が本デジタル画像形成システムが備える便利な機能を活用することができる。特に出先において、原稿を至急に特定の送信先へ送信する必要がある場合に有効である。
【０１７３】
また、本デジタル画像形成システムを利用する場合、画像データの送信に要する費用は、携帯電話２の使用者の負担となるので、デジタル複写機１を使用することによる複雑な料金の計算および請求が不要である。従って、画像データを送信する際には、出先においても気兼ねなくデジタル複写機１を借用することができる。
【０１７４】
また、デジタル複写機１に携帯電話２が装着された状態において、携帯電話２と他の通信装置との通信が常に安定した電波状態で行われることが望ましい。このために、図２および図７に示したように、携帯電話２は、デジタル複写機１の装着部１ａに装着された状態において、アンテナ１３４がほぼ垂直となるように支持されている。これは、携帯電話２から送信される電波が垂直方向に振幅を持ったものであることによる。即ち、本デジタル画像形成システムにおいて、携帯電話２は、そのアンテナ１３４から送信される電波が送信先である他の通信装置に対して良好に伝搬することができる状態で、デジタル複写機１に装着されている。
【０１７５】
また、図２０に示すように、携帯電話２がデジタル複写機１に装着された状態において、携帯電話２にはコネクタ２ａおよびコネクタ７２ａを介して、デジタル複写機１に設けられた携帯電話用電源部１４１が接続されるようになっている。これは、携帯電話２を通じてデジタル複写機１から他の通信装置に画像データを送信しているときに、携帯電話２のバッテリーが消耗して通信エラーを生じる事態を防止するものである。通信エラーが生じた場合、復帰操作が複雑となり、出先等において操作者は時間的に大きな負担を強いられることになる。携帯電話２にデジタル複写機１の電源を接続するのは、デジタル複写機１に携帯電話２が装着されている全ての時間としてもよく、また、携帯電話２による画像データの送信中のみとしてもよい。後者の場合には、同図に示すように、例えば上記携帯電話用電源部１４１とコネクタ７２ａとの間の給電路にトランジスタ等からなるスイッチ１４２を設け、このスイッチ１４２のＯＮ／ＯＦＦをメインＣＰＵ６５により制御する構成とする。
【０１７６】
また、デジタル複写機１と携帯電話２との接続においては、携帯電話２から良好な画像データを送信するために、携帯電話２にとって適切な通信環境にて接続状態を設定するのがよい。この通信環境は、例えば、通信速度（２４００ｂｐｓ、９６００ｂｐｓ等）等の携帯電話２の能力、データ形式、通信プロトコル、電源電圧、通信会社あるいは端末製造メーカーなどに応じた規格である。即ち、携帯電話２に限らず、携帯用画像通信装置には、デジタル方式、アナログ方式、ＰＨＳ、光通信方式（ＩＲ）等の通信規格を備えた通信装置、特定小電力方式の通信装置などの各種の無線通信装置、および通信装置が内蔵された端末装置等があり、それらの通信規格は様々である。このために、デジタル複写機１では携帯電話２との通信環境を認識し、これを設定するようにしている。通信環境の認識方法としては、例えば、デジタル複写機１の装着部１ａに複数のスイッチを並設し、装着部１ａに携帯電話２が装着されたときに、携帯電話２の装着によってＯＮあるいはＯＦＦされる複数の上記スイッチの組み合わせによって、携帯電話２の通信環境に関する各種情報を認識するようにしてもよい。この場合、携帯電話２の例えば底部には、上記スイッチを押圧操作するための凸状のブロックが設けられ、このブロックの配設位置により操作される上記スイッチが選択される。また、他の方法としては、デジタル複写機１のメインＣＰＵ６５と携帯電話２のＣＰＵ１３１との情報の送受信により、コード情報として通信環境に関する情報を携帯電話２からデジタル複写機１に転送するようにしてもよい。
【０１７７】
〔参考例６〕
本発明のさらに他の参考例を図２１および図２２に基づいて、以下に説明する。
【０１７８】
本デジタル画像形成システムでは、携帯電話２のメモリ１３２内に記憶されているユーザ特有の電話番号情報を一時的にデジタル複写機１に供給し、操作者が上記電話番号情報に基づいて画像データの送信先を設定できるようになっている。この動作を図２１および図２２のフローチャートにより説明する。
【０１７９】
例えば通常処理モードの待機状態において、操作者によりデジタル複写機１の装着部１ａに携帯電話２が装着されると（Ｓ１５１）、デジタル画像形成システムにおいて携帯電
話送信モードが設定され、この携帯電話送信モードが設定された状態が液晶表示装置８１に表示される（Ｓ１５２）。このとき、液晶表示装置８１においては、ＲＡＤＦ２２への原稿のセットを促すことを示すメッセージが表示される。
【０１８０】
次に、送信用の原稿が例えばＲＡＤＦ２２にセットされると（Ｓ１５３）、携帯電話２のメモリ１３２に格納されている端末情報が、画像データ通信ユニット７２を経由してデジタル複写機１に取り込まれ、画像メモリ６４に記憶される（Ｓ１５４）。上記端末情報は、通話相手先の電話番号情報を主とする携帯電話２が利用する情報である。
【０１８１】
次に、デジタル複写機１のメインＣＰＵ６５は、上記端末情報のうちから電話番号情報を読み出し、液晶表示装置８１に表示させる（Ｓ１５５）。この表示に基づいて、操作者により送信先が指定され、これにより、画像データの送信先が設定される（Ｓ１５６）。例えば、上記電話番号情報の表示では、各電話番号が表示順の番号を付して表示され、送信先の指定では、操作者が操作パネル７３のテンキー９３を操作して上記表示順の番号を入力することにより、送信先が指定される。
【０１８２】
次に、操作者によりプリントスイッチ９５がＯＮされると（Ｓ１５７）、スキャナ部１１にて原稿の読み取りを行う（Ｓ１５８）。このとき、原稿枚数がカウンタにより計数され、また原稿サイズが原稿サイズセンサにより検出される。これらカウンタおよび原稿サイズセンサは、一般の複写機に設けられた周知のものである。原稿の読み取りにより得られた画像データは、画像メモリ６４に格納される（Ｓ１５９）。その後、全ての原稿の読み取りが完了すると（Ｓ１６０）、ロック機構１１１が携帯電話２をロック状態とする（Ｓ１６１）。
【０１８３】
次に、メインＣＰＵ６５は、通信に関する情報を液晶表示装置８１に表示させる（Ｓ１６２）。この情報は、上記カウンタおよび原稿サイズセンサにより得られた送信する原稿の枚数やサイズ、送信先電話番号、送信先名称、および通信状況などである。このような表示を行うことにより、操作者は、通信状況を容易に把握することができる。
【０１８４】
次に、携帯電話２から送信先に対して接続のための呼び出しが行われ（Ｓ１６３）、携帯電話２が送信先と接続できれば（Ｓ１６４）、画像メモリ６４に格納されている画像データが携帯電話２に転送される。携帯電話２は、デジタル複写機１から転送されてきた画像データを順次相手先に送信する（Ｓ１６５）。
【０１８５】
次に、画像データの送信が完了すると（Ｓ１６６）、携帯電話２が送信先との接続を遮断する（Ｓ１６７）。また、デジタル複写機１では、メインＣＰＵ６５がスキャナ部１１により、画像メモリ６４に格納されている送信原稿の枚数、原稿のサイズ、送信先、送信時刻、送信に要した時間および送信画像データの一部等の送信情報をプリントアウトさせる。あるいは、メインＣＰＵ６５は画像メモリ６４に記憶されている上記の送信情報を携帯電話２に転送する（Ｓ１６８）。携帯電話２では、デジタル複写機１からの上記情報を受信すると、それをメモリ１３２に記憶させる。
【０１８６】
さらに、デジタル複写機１の画像メモリ６４に一時的に記憶されていた情報、即ち前記端末情報、送信情報、並びに送信用原稿の画像データ等が消去される（Ｓ１６９）。この動作は、送信中に送信上のトラブル等の何らかの事情で携帯電話送信モードが解除された場合にも同様に行われる。
【０１８７】
次に、ロック機構１１１がロック解除状態となる（Ｓ１７０）。その後、液晶表示装置８１において送信完了の表示が行われるとともに、携帯電話送信モードが解除される（Ｓ１７１）。上記の表示に基づいて、操作者はデジタル複写機１から携帯電話２を取り外す
ことができる。
【０１８８】
尚、Ｓ１５６の動作においては、携帯電話２からの電話番号情報に基づいて送信先を設定しているが、デジタル複写機１のファックス機能部により送信先を設定することも可能である。この場合には、操作パネル７３のワンタッチダイヤルキー１０２、あるいはテンキー９３が操作される。テンキー９３の操作では、電話番号を構成する個々の番号が入力される。この場合には、デジタル複写機１のメインＣＰＵ６５からテンキー９３あるいはワンタッチダイヤルキー１０２の操作に応じた電話番号情報が携帯電話２に転送され、携帯電話２のＣＰＵ１３１は、その電話番号情報に基づいて、送信先との接続を行う。
【０１８９】
このように、本デジタル画像形成システムでは、携帯電話２からの電話番号情報に基づくばかりでなく、デジタル複写機１のテンキー９３あるいはワンタッチダイヤルキー１０２の操作によっても送信先への接続が可能であるので、操作に不慣れな場合であっても混乱を生じることがなく、操作性が良好なものとなっている。
【０１９０】
また、Ｓ１６８の動作において示したように、送信先への画像データの送信完了後に、デジタル複写機１では、送信原稿の枚数、原稿のサイズ、送信先、送信時刻、送信に要した時間および送信画像データの一部等の送信情報がプリントアウトされるので、出先に配置されたデジタル複写機１を使用して画像データを送信した場合であっても、操作者は手元に送信情報についての送信記録を得ることができる。従って、操作者が例えば会社に戻ってからの送信記録の管理が容易になる。
【０１９１】
また、デジタル複写機１においては、ファックス機能部を使用して送信を行った場合の送信情報と携帯電話２を使用して送信を行った場合の送信情報とを区別して管理するようになっている。これは次の理由による。
【０１９２】
デジタル複写機１のファックス機能部においては、送受信状況を把握するために、通常、送受信に関する情報を記憶しておき、その情報を必要に応じてプリントアウトする管理機能が搭載されている。この管理機能により、携帯電話２を使用して送信を行った場合の送信情報が記憶されると、この送信情報とファックス機能部を使用して送信を行った場合の送信情報とが混同され、両送信情報の確認が困難となる。そこで、上記の両送信情報を区別して管理し、この問題を解消するようにしている。
【０１９３】
また、携帯電話２を使用して送信を行った場合の上記送信情報は、デジタル複写機１からプリントアウトされ、あるいは携帯電話２に転送された後、デジタル複写機１の画像メモリ６４から消去されるようになっている。従って、操作者の個人的な情報が外部の装置、即ちデジタル複写機１に残ってしまい、これが悪用される事態を防止することができる。
【０１９４】
また、本デジタル画像形成システムでは、Ｓ１６８の動作において示したように、携帯電話２を使用して送信を行った場合に、デジタル複写機１が保持する送信情報を携帯電話２に転送することができるようになっている。従って、携帯電話２では、上記送信情報をそのメモリ１３２に記憶しておくことにより、必要に応じて表示部１３３に表示させることができる。これにより、送信記録の確認、および管理が容易になる。
【０１９５】
〔参考例７〕
本発明のさらに他の参考例を図２３ないし図２６に基づいて以下に説明する。
【０１９６】
デジタル複写機１は、図１に示した画像データ通信ユニット７２を通じて、外部装置に対して画像データの送受信が可能となっている。外部装置として携帯電話２が画像データ
通信ユニット７２に接続されている場合、携帯電話２から転送されてきた画像データは、画像処理部１３での処理を経て、画像メモリ６４に取り込まれる。この画像データは、メインＣＰＵ６５により読み出されてレーザプリンタ部１２に供給されることにより、記録シート上にプリントアウトすることができる。尚、携帯電話２とデジタル複写機１とが通信状態にあるとき、ロック機構１１１がロック状態となり携帯電話２がデジタル複写機１に固定されるのは、前述の通りである。
【０１９７】
次に、携帯電話２が受信した画像データがデジタル複写機１に転送され、デジタル複写機１にてプリントアウトされる動作を、図２３ないし図２６のフローチャートにより説明する。尚、図２３および図２４は携帯電話２の動作を示し、図２５および図２６はデジタル複写機１の動作を示している。
【０１９８】
先ず、携帯電話２側の動作について説明する。図２３および図２４において、電源をＯＮにすると携帯電話２は通信待機状態となる。このとき、携帯電話２のＣＰＵ１３１は、操作者により特定の相手に対して発信指示が行われるか（Ｓ１８１）、着信があるか（Ｓ１８２）、あるいは携帯電話２がデジタル複写機１に装着されたか否かを（Ｓ１８３）、常時監視している。
【０１９９】
ここで、操作者より特定の相手に対して電話をかけるために所定の発信指示が行われると（Ｓ１８１）、携帯電話２は発信モードとなる。次に、特定の相手先の電話番号情報がセットされ（Ｓ１８４）、発信キーが操作されると（Ｓ１８５）、携帯電話２は、指示されている相手先に対して発呼を行い（Ｓ１８６）、その相手先との通信が接続されると通話可能（Ｓ１８７）となる。その後、終了キーが操作されると、通信状態が遮断され（Ｓ１８８）、待機状態となる。
【０２００】
また、相手先からの呼び出し指示、すなわち着信があると、着信モードとなり（Ｓ１８２）、その呼び出しが音声によるものなのか、画像データの着信なのかを確認する（Ｓ１８９）。音声による着信であれば、呼び出し音による操作者の呼び出しを行い（Ｓ１９２）、操作者が通話キーを操作すると（Ｓ１９３）、通話可能となる（Ｓ１９４）。その後、終了キーが操作されると、通信状態が遮断され（Ｓ１９５）、待機状態となる。
【０２０１】
一方、Ｓ１８９において、画像データの着信であれば、ＣＰＵ１３１は、その画像データを受信し、メモリ１３２に記憶させる（Ｓ１９０）。さらに、操作者に対して画像データの着信を伝えるため、その旨を表示部１３３に表示させる（Ｓ１９１）。その後、待機状態となる。尚、画像データの着信を伝えるための方法としては、上記表示の他、特定の報知音の発生であってもよい。
【０２０２】
また、携帯電話２では、画像データの着信があると、その旨を示すメーセッジが表示部１３３に表示される。この表示により着信を確認すると、操作者は、携帯電話２を持ってデジタル複写機１が設置されているところへ出向き、携帯電話２をデジタル複写機１の装着部１ａに装着する。これにより、携帯電話２は装着モードとなる（Ｓ１８３）。この装着モードへの移行は、例えば、デジタル複写機１への携帯電話２の装着が携帯電話装着センサ１１６・１１６により検出され、これを示す情報がメインＣＰＵ６５からＣＰＵ１３１に送信されることにより行われる。
【０２０３】
装着モードなった後、操作者により携帯電話２からデジタル複写機１への画像データの転送が指示されると（Ｓ１９６）、ＣＰＵ１３１はメモリ１３２に記憶されている画像データをデジタル複写機１に転送する（Ｓ１９７）。この画像データは、画像データ通信ユニット７２を経て、デジタル複写機１に取り込まれ、その画像メモリ６４に記憶される。その後、デジタル複写機１では、上記画像データの消去の指示があれば（Ｓ１９８）、そ
の消去を行い（Ｓ１９９）、待機状態となる。
【０２０４】
一方、Ｓ１９６において、各種設定情報の転送要求があれば、その要求に応じて情報の転送を行い（Ｓ２００）、その後、待機状態となる。
【０２０５】
次に、デジタル複写機１側の動作について説明する。図２５および図２６において、電源がＯＮされると、デジタル複写機１はウォームアップを開始し（Ｓ２１１）、それが完了すると待機状態となる（Ｓ２１２）。このとき、デジタル複写機１のメインＣＰＵ６５は、コピーモードとして動作するのか（Ｓ２１３）、ファックスモードとして動作するのか（Ｓ２１４）、外部機器から転送されるデータを出力するプリンタモードとして動作するのか（Ｓ２１５）、あるいは携帯電話装着モードとして動作するのか否かを監視している（Ｓ２１６）。これら各動作モードにつていは、デジタル複写機１への各種入力条件により設定される。
【０２０６】
操作パネル７３の操作によりコピーモードが設定されると（Ｓ２１３）、その後、操作者により操作パネル７３が操作され、コピー枚数、コピー倍率およびコピー濃度等の設定が行われる（Ｓ２１７）。次に、原稿が例えばＲＡＤＦ２２にセットされた後、プリントスイッチ９５がＯＮされると（Ｓ２１８）、複写を行い（Ｓ２１９）、複写完了後（Ｓ２２０）、待機状態となる。
【０２０７】
また、ファックスモードが設定され（Ｓ２１４）、ファックス送信が設定されると（Ｓ２２１）、その後、操作者により、例えばテンキー９３を使用して送信先の電話番号が入力され、画像の鮮明さを指定する送信モードが設定される（Ｓ２２２）。
【０２０８】
次に、原稿が例えばＲＡＤＦ２２にセットされて送信ボタンがＯＮされると（Ｓ２２３）、スキャナ部１１により原稿の読み取りが行われ（Ｓ２２４）、送信先へ原稿の画像データが送信される（Ｓ２２５）。その後、送信が完了すると（Ｓ２２６）、デジタル複写機１は待機状態となる。
【０２０９】
一方、Ｓ２２１において、ファックス受信であれば、メインＣＰＵ６５は、送信されてきた画像データを画像メモリ６４に記憶させる（Ｓ２２７）。そして、レーザプリンタ部１２において上記画像データの記録、即ちプリントアウトが可能な状態になると（Ｓ２２８）、画像データのプリントアウトを行う（Ｓ２２９）。このようにしてファックス受信の処理が完了すると（Ｓ２３０）、デジタル複写機１は待機状態となる。
【０２１０】
また、デジタル複写機１は、外部インターフェイス（図示せず）に特定の制御信号が入力されると、プリンタモードとなる（Ｓ２１５）。そして、外部機器、例えばワードプロセッサから送信されてきた画像データを受信すると（Ｓ２３１）、メインＣＰＵ６５は、送信されてきた画像データを画像メモリ６４に記憶させる。その後、レーザプリンタ部１２において上記画像データのプリントアウトが可能な状態になると（Ｓ２３２）、画像データのプリントアウトを行う（Ｓ２３３）。このようにして受信画像データの処理が完了すると（Ｓ２３４）、デジタル複写機１は待機状態となる。
【０２１１】
また、デジタル複写機１は、その装着部１ａに携帯電話２が装着され、この状態が携帯電話装着センサ１１６・１１６により検出されると、携帯電話装着モードとなる（Ｓ２１６）。
【０２１２】
携帯電話装着モードが設定されると、デジタル複写機１は、携帯電話２からの画像データの受信状態となる（Ｓ２３５）。そして、携帯電話２からの画像データを受信すると（Ｓ２３６）、その画像データを、必要に応じて画像処理部１３により処理しながら、画像
メモリ６４に記憶させる（Ｓ２３７）。尚、画像処理部１３での処理は、画像データを画像メモリ６４に記憶させるとき、あるいはプリントアウトのために画像データを画像メモリ６４から読み出したときの何れのときでもよい。
【０２１３】
その後、メインＣＰＵ６５は、画像データにおける画像サイズを確認し、そのサイズに応じた適正サイズの記録シート、即ち用紙の有無を確認する（Ｓ２３８）。そして、適正サイズの用紙があれば（Ｓ２３９）、その用紙を選択し（Ｓ２４０）、受信した画像データのプリントアウトを行う（Ｓ２４１）。この場合、メインＣＰＵ６５は、画像メモリ６４に格納された画像データを、レーザプリンタ部１２の動作に合わせてレーザプリンタ部１２に転送する。尚、Ｓ２３９において、適正サイズの用紙がなければ、液晶表示装置８１に適正サイズを表示させ（Ｓ２４２）、操作者によりその用紙がセットされるのを待った後、Ｓ２４０以下の動作を行う。
【０２１４】
上記のように、本デジタル画像形成システムでは、操作者が外出中であっても、操作者が携帯する携帯電話２に画像データを送信すれば、画像データの着信が操作者に報知され、操作者が出先において携帯電話２をデジタル複写機１に装着すれば、デジタル複写機１から画像データをプリントアウトすることができる。これにより、操作者は、送信されてきた情報を確認することができる。
【０２１５】
従って、操作者が外出中のときに、電話では伝えることができない情報等を操作者に伝える必要がある場合でも、上記情報の伝達を良好に行うことができる。勿論、画像データをプリントアウトする装置を常時携帯する必要もない。
【０２１６】
また、上記画像処理部１３では、携帯電話２から転送されてきた画像データの形式が、レーザプリンタ部１２で扱うデータ形式と異なる場合、この形式に適合するように、上記画像データの形式を変換する。これにより、レーザプリンタ部１２においては、画像データのプリントアウトを適切に行うことができ、良好な画像を得ることができる。
【０２１７】
また、Ｓ２３９での適正サイズの用紙の選択は、Ｓ２３７において画像メモリ６４に画像データを展開し、この展開されたときの画像データの大きさに基づきＳ２３８において画像サイズを確認することにより行っている。従って、適正サイズの用紙を選択することができるようになっている。
【０２１８】
即ち、携帯電話２から転送されてくる画像データの形式は様々である。従って、例えば圧縮されている画像データの展開、文字コードデータからの展開等を実際に行った後でなければ、正確な画像サイズを確定することはできない。このため、単に指示された用紙サイズ情報に基づいて用紙を選択し、画像データを記録した場合には、画像が用紙から欠落してしまう虞がある。
【０２１９】
また、デジタル複写機１においては、画像データのプリントアウトが終了すると、画像メモリ６４に記憶されていた画像データを消去するようにしてもよい。同様に、携帯電話２においても、プリントアウトすべき画像データをデジタル複写機１に転送後、転送済の画像データをメモリ１３２から消去するようにしてもよい。この動作は、特に記憶容量が少ない携帯電話２において行った場合、限られた記憶容量を有効に利用する上で効果的である。また、画像データを一律に消去するばかりでなく、必要に応じて保存することを選択できるようにしてもよい。デジタル複写機１あるいは携帯電話２において画像データを消去せずに保存している場合、その画像データを例えば加工して使用するといったことが可能である。
【０２２０】
また、本デジタル画像形成システムでは、デジタル複写機１が携帯電話２から転送され
てきた画像データをプリントアウトする機能を利用し、携帯電話２において設定されている各種設定情報、および携帯電話２に登録されている電話番号情報等をデジタル複写機１に転送し、デジタル複写機１においてプリントアウトできるようになっている。上記の情報は、通常、携帯電話２内においてコード情報として記憶されているものである。従って、デジタル複写機１では、上記コード情報をプリントアウトする場合、プリンタモードにおいてコード情報を文字を表すドット情報へ変換する機能を使用して展開し、プリントアウトする。
【０２２１】
また、携帯電話２は、デジタル複写機１においてプリントアウトする情報を特定するための構成を備えている。この構成は、例えば、携帯電話２の入力キー１３７の操作が行われたときに、携帯電話２に設定あるいは登録されている情報を、ＣＰＵ１３１がメモリ１３２から呼び出して表示部１３３に表示させ、さらに別の選択キーが操作されたときに、その情報をデジタル複写機１に転送するというものである。
【０２２２】
〔発明の実施の形態１〕
本発明の実施の形態を図２７ないし図３０に基づいて以下に説明する。なお、本実施の形態では、前記の各参考例で説明した部材と同一の機能を有する部材には、同一の符号を付記し、その説明を省略する。
【０２２３】
本デジタル画像形成システムは、図２７に示す構成となっている。即ち、携帯電話２等の通信を管理する中継装置（通信管理装置）としての通信管理センター１５１では、特定の携帯電話２に送信されるべき画像データを受信すると、この画像データをＣＰＵ（制御手段）１５２がメモリ（記憶手段）１５３に記憶させるとともに、送信先の携帯電話２に対して、送信すべき画像データが存在するというメッセージを送信する。このメッセージに基づき、操作者は携帯電話２を最寄りのデジタル複写機１にセットし、その後、携帯電話２が通信管理センター１５１から送信される画像データを受信し、受信した画像データをデジタル複写機１がプリントアウトする。
【０２２４】
次に、この動作を図２８ないし図３０のフローチャートにより説明する。尚、図２８は通信管理センター１５１側の動作を示し、図２９および図３０は、携帯電話２およびデジタル複写機１側の動作を示すものである。
【０２２５】
図２８において、通信管理センター１５１では、特定の携帯電話２に送信されるべき画像データを受信すると（Ｓ２５１）、その画像データおよび送信相手先情報をメモリ１５３に記憶する（Ｓ２５２）。その後、送信先の携帯電話２に、送信すべき画像データが存在するというメッセージを送信する（Ｓ２５３）。
【０２２６】
その後、上記メッセージに応じて、携帯電話２から画像データの送信要求があれば（Ｓ２５４）、通信管理センター１５１では、要求してきた携帯電話２の電話番号と先に記憶している送信相手先情報とに基づいて、送信すべき画像データを確認する（Ｓ２５５）。
【０２２７】
この確認の結果、送信すべき画像データが存在すれば（Ｓ２５６）、携帯電話２に対して画像データを送信する（Ｓ２５７）。その後、画像データの送信が完了すれば（Ｓ２５８）、画像データの消去指示があるか否かを確認し（Ｓ２５９）、消去指示があれば、送信済の画像データをメモリ１５３から消去する（Ｓ２６０）。尚、消去指示は、通信管理センター１５１において予め設定されているもの、あるいは携帯電話２からの要求に応じて設定されるものである。
【０２２８】
一方、Ｓ２５６において、送信すべき画像データが存在しなければ、送信すべき画像データが存在しない旨のメッセージを携帯電話２に送信し（Ｓ２６１）、動作を終了する。
【０２２９】
次に、携帯電話２およびデジタル複写機１の動作について説明する。図２９および図３０において、携帯電話２は、電源をＯＮすると待機状態となる。このとき、携帯電話２のＣＰＵ１３１は、通信管理センター１５１からのメッセージを受信したか（Ｓ２７１）、携帯電話２がデジタル複写機１に装着されたか（Ｓ２７２）、通話のための電話番号がセットされたかを（Ｓ２７３）、常時監視している。
【０２３０】
ここで、通信管理センター１５１から送信すべき画像データが存在することを示すメッセージが送信されてくると（Ｓ２７１）、そのメッセージを表示部１３３に表示する（Ｓ２７４）。あるいは特定の報知音により送信すべき画像データが存在することを操作者に伝える。
【０２３１】
その後、上記メッセージを確認した操作者により携帯電話２が最寄りのデジタル複写機１に装着されると、携帯電話２は、通信管理センター１５１に対して画像データの送信要求を行う。
【０２３２】
この場合、即ちデジタル複写機１に携帯電話２が装着され（Ｓ２７２）、かつ上記メッセージが表示部１３３に表示されている場合には（Ｓ２７５）、通信管理センター１５１に対して接続のための発信を行う（Ｓ２７６）。そして、通信管理センター１５１の接続が完了すると（Ｓ２７７）、ＣＰＵ１３１は、携帯電話２の電話番号情報を送信し（Ｓ２７８）、さらに画像データの送信要求を行う（Ｓ２７９）。
【０２３３】
その後、上記送信要求に応じて通信管理センター１５１から画像データが送信されてくると、携帯電話２はこの画像データを受信し（Ｓ２８０）、デジタル複写機１に転送する。携帯電話２から画像データを受けたデジタル複写機１は、その画像データをレーザプリンタ部１２によりプリントアウトする（Ｓ２８１）。その後、画像データのプリントアウトが完了すると（Ｓ２８２）、携帯電話２は通信管理センター１５１との通信を遮断し（Ｓ２８３）、待機状態となる。
【０２３４】
一方、Ｓ２７５において、携帯電話２はデジタル複写機１に装着されたが、表示部１３３に前記メッセージの表示がない場合には、携帯電話２およびデジタル複写機１において原稿送信モードを設定する（Ｓ２８４）。この場合には、デジタル複写機１に送信原稿がセットされ（Ｓ２８５）、送信先が設定され（Ｓ２８６）、送信先へ接続のための発信が行わる（Ｓ２８７）。その後、携帯電話２と送信先との接続が完了すると（Ｓ２８８）、デジタル複写機１のスキャナ部１１にて送信原稿の読み取りが行われ（Ｓ２８９）、画像データの送信が行われる（Ｓ２９０）。その後、送信が完了すると（Ｓ２９１）、携帯電話２は送信先との通信を遮断し（Ｓ２９２）、待機状態となる。
【０２３５】
また、携帯電話２において、通話のために電話番号がセットされ（Ｓ２７３）、発信キーがＯＮされた場合には（Ｓ２９３）、電話番号先への発信が行われ（Ｓ２９４）、電話番号先との接続が完了すると（Ｓ２９５）、通話が行われる（Ｓ２９６）。その後、通話終了キーが操作されると（Ｓ２９７）、携帯電話２は通話先との通信を手段する（Ｓ２９８）。
【０２３６】
上記のように、本デジタル画像形成システムでは、他の通信装置から送信されてきた画像データが通信管理センター１５１に記憶され、携帯電話２では必要に応じて画像データの転送を要求することができる。従って、携帯電話２のメモリ１３２に上記画像データを記憶するための大きな記憶容量を常時確保する必要がない。これにより、メモリ１３２の記憶容量を他の目的に有効に使用することができる。
【０２３７】
また、通信管理センター１５１から携帯電話２への画像データの送信は、操作者によるデジタル複写機１への携帯電話２の装着操作に基づいて行われるので、即ち操作者が携帯電話２において画像データの受入れが可能と判断したときに行われるので、携帯電話２側の準備不良に起因する通信トラブルが生じ難くなっている。尚、この場合には、携帯電話装着センサ１１６・１１６により入力手段が構成される。
【０２３８】
〔発明の実施の形態２〕
本発明の実施の他の形態を図３１および図３２に基づいて以下に説明する。
【０２３９】
本デジタル画像形成システムは、図２７に示す構成であり、通信管理センター１５１から送信されてきた画像データを携帯電話２が受信してメモリ１３２に一旦記憶させ、その後、携帯電話２がデジタル複写機１に装着されたときに、デジタル複写機１より上記画像データをプリントアウトするものとなっている。
【０２４０】
次に、この動作を図３１および図３２のフローチャートにより説明する。尚、図３１および図３２は、携帯電話２およびデジタル複写機１側の動作を示すものであり、通信管理センター１５１側の動作は、図２８に示したものと同様である。
【０２４１】
図３１および図３２において、携帯電話２は、電源をＯＮすると待機状態となる。このとき、携帯電話２のＣＰＵ１３１は、通信管理センター１５１からのメッセージを受信したか（Ｓ３０１）、通信管理センター１５１へ画像データの送信を要求する送信要求モードが設定されたか（Ｓ３０２）、携帯電話２がデジタル複写機１に装着されたか（Ｓ３０３）、通話のための電話番号がセットされたかを（Ｓ３０４）、常時監視している。
【０２４２】
ここで、通信管理センター１５１から送信すべき画像データが存在することを示すメッセージが送信されてくると（Ｓ３０１）、そのメッセージを表示部１３３に表示する（Ｓ３０５）。あるいは特定の報知音により送信すべき画像データが存在することを操作者に伝える。
【０２４３】
その後、上記メッセージを確認した操作者により、携帯電話２において送信要求モードが設定されると（Ｓ３０２）、携帯電話２のＣＰＵ１３１は、通信管理センター１５１との通信のための発信を行う（Ｓ３０６）。上記送信要求モードの設定は例えば入力キー１３７の操作により行われる。そして、通信管理センター１５１の接続が完了すると（Ｓ３０７）、ＣＰＵ１３１は、携帯電話２の電話番号情報を送信し（Ｓ３０８）、さらに画像データの送信要求を行う（Ｓ３０９）。
【０２４４】
その後、上記送信要求に応じて通信管理センター１５１から画像データが送信されてくると、携帯電話２はこの画像データを受信し（Ｓ３１０）、ＣＰＵ１３１はその画像データをメモリ１３２に記憶させる（Ｓ３１１）。その後、画像データの受信が完了すると（Ｓ３１２）、携帯電話２は通信管理センター１５１との通信を遮断し（Ｓ３１３）、待機状態となる。
【０２４５】
その後、携帯電話２がデジタル複写機１に装着され、携帯電話２のメモリ１３２が画像データを記憶していると（Ｓ３１４）、携帯電話２は画像データ転送モードとなり、メモリ１３２に記憶されている画像データをデジタル複写機１に転送可能な状態となる（Ｓ３１５）。
【０２４６】
次に、携帯電話２のＣＰＵ１３１とデジタル複写機１のメインＣＰＵ６５との通信により、デジタル複写機１の状態の確認が行われ（Ｓ３１６）、デジタル複写機１が携帯電話２と通信可能な状態であれば（Ｓ３１７）、携帯電話２のＣＰＵ１３１はデジタル複写機
１に対して画像データを転送する（Ｓ３１８）。その後、画像データの転送が完了すると（Ｓ３１９）、携帯電話２はデジタル複写機１との通信を遮断し（Ｓ３２０）、待機状態となる。
【０２４７】
尚、デジタル複写機１に転送された画像データは、その後、デジタル複写機１のレーザプリンタ部１２によりプリントアウトされる。また、図３２に示すＳ３２１〜Ｓ３３５の動作は、図３０に示したＳ２８４〜Ｓ２９８の動作と同様である。
【０２４８】
上記のように、本デジタル画像形成システムでは、他の通信装置から送信されてきた画像データが通信管理センター１５１に記憶され、携帯電話２では必要に応じて画像データの転送を要求することができる。従って、携帯電話２のメモリ１３２に上記画像データを記憶するための大きな記憶容量を常時確保する必要がない。これにより、メモリ１３２の記憶容量を他の目的に有効に使用することができる。
【０２４９】
また、通信管理センター１５１から携帯電話２に転送された画像データはメモリ１３２に一旦記憶されるので、操作者は適当なときに、携帯電話２をデジタル複写機１と通信可能状態、即ち装着状態とし、画像データの可視化された画像を得ることができる。
【０２５０】
また、通信管理センター１５１から携帯電話２への画像データの送信は、操作者による例えば入力キー１３７の操作に基づいて行われるので、即ち操作者が携帯電話２において画像データの受入れが可能と判断したときに行われるので、携帯電話２側の準備不良に起因する通信トラブルが生じ難くなっている。
【０２５１】
また、本発明のデジタル画像形成システムは、デジタル画像形成装置、例えばデジタル複写機と、このデジタル画像形成装置とは独立して携帯可能であるとともに、前記デジタル画像形成装置と通信可能、かつその他の通信装置と通信可能な携帯用画像通信装置、例えば携帯電話とを備え、前記デジタル画像形成装置が、原稿の画像を読み取って画像データに変換する画像データ生成手段と、画像データを記憶する第１記憶手段と、前記画像データ生成手段から得られた画像データを前記第１記憶手段に記憶させる一方、前記第１記憶手段に記憶された前記画像データを読み出し、前記携帯用画像通信装置に転送する第１制御手段とを備え、前記携帯用画像通信装置が、画像データを記憶する第２記憶手段と、前記デジタル画像形成装置から送信されてきた画像データを前記第２記憶手段に記憶させる一方、前記第２記憶手段に記憶された前記画像データを読み出して前記その他の通信装置に送信する第２制御手段とを備えている構成としてもよい。
【０２５２】
この場合、デジタル画像形成装置では、画像データ生成手段から得られた画像データが第１制御手段によって第１記憶手段に記憶される。また、この第１記憶手段に記憶された画像データが、第１制御手段によって読み出され、携帯用画像通信装置に送信される。携帯用画像通信装置では、デジタル画像形成装置から送信されてきた画像データが第２制御手段によって第２記憶手段に記憶される。また、第２記憶手段に記憶された画像データが、第２制御手段によって読み出され、その他の通信装置に送信される。
【０２５３】
従って、例えば出先において、そこに配置されたデジタル画像形成装置と共にデジタル画像形成システムを構成し得る携帯用画像通信装置、例えば携帯電話を携帯すれば、スキャナ装置を出先に携帯することなく、また、デジタル画像形成装置がファックス機能を備えていない場合であっても、出先のデジタル画像形成装置を使用して原稿の画像を画像データとして携帯用画像通信装置に容易に取り込むことができる。また、携帯用画像通信装置に取り込んだ画像データは、任意の場所から送信先に送信することができる。
【０２５４】
また、デジタル画像形成装置を多数の人が利用可能な場所、例えばコピーサービスを行
っているコンビニエンスストアーやその他の店舗等に設置しておけば、携帯用画像通信装置としての例えば現在広く普及している携帯電話を利用して、多数の人が本デジタル画像形成システムが備える便利な機能を活用することができる。特に出先において、原稿を至急に特定の送信先へ送信する必要がある場合に有効である。
【０２５５】
また、出先において本デジタル画像形成システムを利用する場合、画像データの送信に要する費用は、例えば通信会社、例えば電話会社と通信契約をしている携帯用画像通信装置、例えば携帯電話の使用者の負担となるので、携帯用画像通信装置を使用することによる複雑な料金の計算および請求が不要である。
【０２５６】
また、本発明のデジタル画像形成システムは、前記デジタル画像形成装置が、さらに、通信回線を介して前記その他の通信装置に画像データを送信可能な画像送信手段を備え、前記第１制御手段は、前記画像送信手段が前記その他の通信装置に画像データを送信不可能な状態であり、かつ前記デジタル画像形成装置と前記携帯用画像通信装置とが通信可能状態であるときに、前記第１記憶手段に記憶された画像データを読み出して前記携帯用画像通信装置に送信するようにしてもよい。
【０２５７】
この場合、デジタル画像形成装置の画像送信手段が他の通信装置に画像データを送信不可能な状態であり、かつデジタル画像形成装置と携帯用画像通信装置とが通信可能状態であるときには、デジタル画像形成装置の第１記憶手段に記憶された画像データが携帯用画像通信装置に送信され、その第２記憶手段に記憶される。
【０２５８】
従って、操作者は、デジタル画像形成装置の画像送信手段を使用して特定の相手先との通信ができなかった場合であっても、その場で待機する必要がなく、携帯用画像通信装置を使用して任意の時刻に任意の場所から画像データを送信先に送信することができる。従って、時間に追われているビジネスマン等の操作者は、送信の設定から完了までに要する時間を気にする必要がなく、出先等において時間を有効に使うことができる。
【０２５９】
また、本発明のデジタル画像形成システムは、デジタル画像形成装置と、このデジタル画像形成装置とは独立して携帯可能であるとともに、前記デジタル画像形成装置と通信可能、かつその他の通信装置と通信可能な携帯用画像通信装置とを備え、前記デジタル画像形成装置が、原稿の画像を読み取って画像データに変換する画像データ生成手段と、画像データを記憶する第１記憶手段と、前記画像データ生成手段から得られた画像データを前記第１記憶手段に記憶させる一方、前記第１記憶手段に記憶された前記画像データを読み出し、前記携帯用画像通信装置に転送する第１制御手段と、前記第１記憶手段に記憶された画像データを可視像化する可視像化手段とを備え、前記携帯用画像通信装置が、前記デジタル画像形成装置から送信されてきた画像データを前記その他の通信装置に送信する第２制御手段を備えている構成としてもよい。
【０２６０】
この場合、デジタル画像形成装置では、画像データ生成手段から得られた画像データが第１制御手段によって第１記憶手段に記憶される。また、この第１記憶手段に記憶された画像データが、第１制御手段によって読み出され、携帯用画像通信装置に送信される。携帯用画像通信装置では、デジタル画像形成装置から送信されてきた画像データが第２制御手段によってその他の通信装置に送信される。
【０２６１】
従って、例えば出先において、そこに配置されたデジタル画像形成装置と共にデジタル画像形成システムを構成し得る携帯用画像通信装置、例えば携帯電話を携帯すれば、スキャナ装置を出先に携帯することなく、また、デジタル画像形成装置がファックス機能を備えていない場合であっても、このデジタル画像形成装置を使用して原稿の画像データを容易に他の通信装置に送信することができる。
【０２６２】
また、デジタル画像形成装置を多数の人が利用可能な場所、例えばコピーサービスを行っているコンビニエンスストアーやその他の店舗等に設置しておけば、携帯用画像通信装置としての例えば現在広く普及している携帯電話を利用して、多数の人が本デジタル画像形成システムが備える便利な機能を活用することができる。特に出先において、原稿を至急に特定の送信先へ送信する必要がある場合に有効である。
【０２６３】
また、出先において本デジタル画像形成システムを利用する場合、画像データの送信に要する費用は、例えば通信会社、例えば電話会社と通信契約をしている携帯用画像通信装置、例えば携帯電話の使用者の負担となるので、携帯用画像通信装置を使用することによる複雑な料金の計算および請求が不要である。
【０２６４】
また、本発明のデジタル画像形成システムは、前記携帯用画像通信装置が、画像データを記憶する第２記憶手段をさらに備え、前記第１制御手段が、少なくとも前記デジタル画像形成装置と前記携帯用画像通信装置とが通信可能状態であるときに、前記第１記憶手段に記憶された画像データを順次読み出して前記携帯用画像通信装置に送信するものであり、前記第２制御手段が、前記デジタル画像形成装置と前記携帯用画像通信装置とが通信可能状態であり、かつ前記携帯用画像通信装置と前記その他の通信装置とが通信可能状態であるときに、前記デジタル画像形成装置から送信されてきた画像データを順次前記その他の通信装置に送信していく一方、前記デジタル画像形成装置と前記携帯用画像通信装置とが通信可能状態であり、かつ前記携帯用画像通信装置が前記その他の通信装置と通信不能状態であるときに、前記デジタル画像形成装置から送信されてきた画像データを前記第２記憶手段に記憶させるものであってもよい。
【０２６５】
この場合、デジタル画像形成装置と携帯用画像通信装置とが通信可能状態であり、かつ携帯用画像通信装置と他の通信装置とが通信可能状態であるときには、第１記憶手段に記憶された画像データが順次読み出されて携帯用画像通信装置に送信される。この画像データは、順次他の通信装置に送信される。
【０２６６】
一方、デジタル画像形成装置と携帯用画像通信装置とが通信可能状態であり、かつ携帯用画像通信装置と他の通信装置とが通信不能状態であるときには、第１記憶手段に記憶された画像データが順次読み出されて携帯用画像通信装置に送信される。この画像データは第２記憶手段に記憶される。
【０２６７】
従って、例えば出先において、そこに配置されたデジタル画像形成装置から得られた画像データを、携帯している携帯用画像通信装置を介して他の通信装置に送信しようとしたときに、携帯用画像通信装置と他の通信装置とが通信不能状態であるときには、デジタル画像形成装置の第１記憶手段に記憶された画像データが順次読み出されて携帯用画像通信装置の第２記憶手段に記憶される。
【０２６８】
これにより、操作者は、送信先との通信ができなかった場合であっても、その場で待機する必要がなく、その携帯用画像通信装置を使用して任意の時刻に任意の場所から画像データを送信先に送信することができる。従って、時間に追われているビジネスマン等の操作者は、出先等において時間を有効に使うことができる。
【０２６９】
また、本発明のデジタル画像形成システムは、前記のデジタル画像形成装置が、情報を表示する表示手段と操作者が入力操作する入力手段とをさらに備え、前記の第２制御手段が、携帯用画像通信装置に登録されている送信先の電話番号を示す電話番号情報をデジタル画像形成装置に転送するものであり、前記の第１制御手段が、携帯用画像通信装置から転送されてきた前記電話番号情報を前記表示手段に表示させるとともに、前記入力手段の
操作によって指定された電話番号情報を示す指定情報を前記携帯用画像通信装置に送信するものであり、さらに、前記の第２制御手段が、前記指定情報により示される送信先へデジタル画像形成装置から転送されてきた画像データを送信するものであってもよい。
【０２７０】
この場合、携帯用画像通信装置に予め登録されている送信先に画像データを送信する場合、操作者はデジタル画像形成装置の入力手段によりその電話番号情報を指定するだけでよい。従って、画像データ送信の際の操作者による操作の負担を軽減することができる。
【０２７１】
また、本発明のデジタル画像形成システムは、前記の第１制御手段が、デジタル画像形成装置と携帯用画像通信装置との通信状態の解除後に、第１記憶手段に記憶されている、携帯用画像通信装置を通じて送信された前記画像データに関する情報を消去させるものであってもよい。
【０２７２】
この場合、デジタル画像形成装置と携帯用画像通信装置との通信状態の解除後に、第１記憶手段に記憶されている、携帯用画像通信装置を通じて送信された前記画像データに関する情報を消去させる。従って、この情報、例えば操作者の個人的な情報等が外部の装置、即ちデジタル画像形成装置に残ってしまい、これが悪用される事態を防止することができる。
【０２７３】
また、本発明のデジタル画像形成システムは、前記携帯用画像通信装置が第２記憶手段をさらに備え、前記の第１制御手段は、携帯用画像通信装置を通じて送信された前記画像データに関する情報を、携帯用画像通信装置に転送するものであり、前記の第２制御手段が、デジタル画像形成装置から転送されてきた前記画像データに関する情報を第２記憶手段に記憶させるものであってもよい。
【０２７４】
この場合、携帯用画像通信装置を通じて送信された画像データに関する情報が携帯用画像通信装置の第２記憶手段に記憶されるので、操作者は、この情報を例えば携帯用画像通信装置の表示装置に表示させることにより、画像データについての送信状況を容易に確認することができる。従って、画像データの送信動作についての管理が容易である。
【０２７５】
また、本発明のデジタル画像形成システムは、デジタル画像形成装置と、このデジタル画像形成装置とは独立して携帯可能であるとともに、前記デジタル画像形成装置と通信可能、かつその他の通信装置と通信可能な携帯用画像通信装置とを備え、前記携帯用画像通信装置が、画像データを記憶する記憶手段と、前記その他の通信装置から送信されてきた画像データを前記記憶手段に記憶させる一方、前記記憶手段に記憶されている画像データを読み出して前記デジタル画像形成装置に送信する制御手段とを備え、前記デジタル画像形成装置が、画像データを可視像化する可視像化手段と、前記携帯用画像通信装置から送信されてきた画像データを前記可視像化手段に供給する制御手段とを備えている構成でもよい。
【０２７６】
この場合、携帯用画像通信装置に他の通信装置から画像データが送信されてきた場合、この画像データは携帯用画像通信装置の記憶手段に記憶される。前記画像データは、携帯用画像通信装置をデジタル画像形成装置と通信可能状態としたときに、記憶手段から読み出してデジタル画像形成装置に送信することができる。デジタル画像形成装置に送信された画像データはその可視像化手段に供給され、可視像化される。
【０２７７】
本デジタル画像形成システムでは、このような動作が可能であるから、携帯用画像通信装置の操作者、即ち画像データを送信したい相手が例えば外出中で特定の場所にいない場合であっても、その相手が携帯用画像通信装置を携帯していれば、前記画像データを確実に届けることが可能である。そして、前記画像データは、出先においても、携帯用画像通
信装置を、デジタル画像形成システムを構成する最寄りのデジタル画像形成装置と通信可能状態とすれば、その場で可視像化し、確認することができる。従って、本デジタル画像形成システムによれば、電話による通話では不十分な急ぎの用件に関する情報を早急かつ確実に届けることができる。
【０２７８】
また、本発明のデジタル画像形成システムは、前記携帯用画像通信装置が、前記画像データを前記記憶手段が記憶したことを報知する報知手段を備えている構成でもよい。
【０２７９】
この場合、携帯用画像通信装置の携帯者に、画像データを送信したことを、例えば携帯電話を使用しての通話によってわざわざ通知することなく、迅速かつ容易に伝えることができる。これにより、携帯用画像通信装置の操作者は、送信されてきた画像データを迅速に確認することができる。
【０２８０】
また、本発明のデジタル画像形成システムは、デジタル画像形成装置と、通信の中継を行う中継装置（通信管理装置）と、前記デジタル画像形成装置とは独立して携帯可能であるとともに、前記デジタル画像形成装置と通信可能、かつその他の通信装置と前記中継装置を介して通信可能な携帯用画像通信装置とを備え、前記の中継装置が、前記その他の通信装置から前記携帯用画像通信装置宛に送信されてくる画像データを記憶する記憶手段と、この記憶手段に前記画像データが記憶されたときに、この状態を示す報知情報を前記携帯用画像通信装置に送信する一方、前記携帯用画像通信装置から前記画像データの転送要求があったときに、前記画像データを前記記憶手段から読み出して携帯用画像通信装置に転送する制御手段とを備え、前記携帯用画像通信装置が、前記中継装置からの前記報知情報を受信したときに報知を行う報知手段と、前記画像データの転送要求の入力手段と、この入力手段からの入力に基づいて前記中継装置に対して携帯用画像通信装置への前記画像データの転送要求を行うとともに、前記中継装置から転送されてきた画像データをデジタル画像形成装置に転送する制御手段とを備え、前記デジタル画像形成装置が、画像データを可視像化する可視像化手段と、前記携帯用画像通信装置から転送されてきた画像データを前記可視像化手段に供給する制御手段とを備えている構成でもよい。
【０２８１】
この場合、他の通信装置から前記携帯用画像通信装置宛に送信されてくる画像データは中継装置の記憶手段に記憶される。このときには、この状態を示す報知情報が携帯用画像通信装置に送信され、この報知情報に基づいて、携帯用画像通信装置では報知手段が報知動作を行う。これにより、携帯用画像通信装置の操作者は、中継装置での前記画像データの存在を知ることができる。操作者は、前記画像データの転送を要求する場合に、入力手段への入力により転送要求を行うことができる。これに基づいて、携帯用画像通信装置から中継装置に画像データの転送要求が行われ、中継装置から携帯用画像通信装置へ画像データが転送される。携帯用画像通信装置に転送された画像データは、さらにデジタル画像形成装置に転送される。デジタル画像形成装置では、可視像化手段により画像データが可視像化される。
【０２８２】
本デジタル画像形成システムでは、上記のように、他の通信装置から送信されてきた画像データが中継装置に記憶され、携帯用画像通信装置では必要に応じて前記画像データの転送を要求することができる。従って、携帯用画像通信装置に上記画像データを記憶するための大きな記憶容量を常時確保する必要がなく、携帯用画像通信装置の記憶容量を他の目的に有効に使用することができる。
【０２８３】
また、本発明のデジタル画像形成システムは、デジタル画像形成装置と、通信の中継を行う中継装置（通信管理装置）と、前記デジタル画像形成装置とは独立して携帯可能であるとともに、前記デジタル画像形成装置と通信可能、かつその他の通信装置と前記中継装置を介して通信可能な携帯用画像通信装置とを備え、前記の中継装置が、前記その他の通
信装置から前記携帯用画像通信装置宛に送信されてくる画像データを記憶する記憶手段と、この記憶手段に前記画像データが記憶されたときに、この状態を示す報知情報を前記携帯用画像通信装置に送信する一方、前記携帯用画像通信装置から前記画像データの転送要求があったときに、前記画像データを前記記憶手段から読み出して携帯用画像通信装置に転送する制御手段とを備え、前記携帯用画像通信装置が、画像データを記憶する記憶手段と、前記中継装置からの前記報知情報を受信したときに報知を行う報知手段と、前記画像データの転送要求の入力手段と、この入力手段からの入力に基づいて前記中継装置に対して携帯用画像通信装置への前記画像データの転送要求を行うとともに、前記中継装置から転送されてきた画像データを前記記憶手段に記憶させる一方、前記記憶手段に記憶された前記画像データを読み出して前記デジタル画像形成装置に送信する制御手段とを備え、前記デジタル画像形成装置が、画像データを可視像化する可視像化手段と、前記携帯用画像通信装置から転送されてきた画像データを前記可視像化手段に供給する制御手段とを備えている構成としてもよい。
【０２８４】
この場合、他の通信装置から前記携帯用画像通信装置宛に送信されてくる画像データは中継装置の記憶手段に記憶される。このときには、この状態を示す報知情報が携帯用画像通信装置に送信され、この報知情報に基づいて、携帯用画像通信装置では報知手段が報知動作を行う。これにより、携帯用画像通信装置の操作者は、中継装置での前記画像データの存在を知ることができる。操作者は、前記画像データの転送を要求する場合に、入力手段への入力により転送要求を行うことができる。これに基づいて、携帯用画像通信装置から中継装置に画像データの転送要求が行われ、中継装置から携帯用画像通信装置へ画像データが転送される。携帯用画像通信装置に転送された画像データは、携帯用画像通信装置の記憶手段に記憶される。その後、携帯用画像通信装置とデジタル画像形成装置とを通信可能な状態として、携帯用画像通信装置からデジタル画像形成装置に前記画像データが転送されると、デジタル画像形成装置では、可視像化手段により画像データが可視像化される。
【０２８５】
本デジタル画像形成システムでは、上記のように、他の通信装置から送信されてきた画像データが中継装置に記憶され、携帯用画像通信装置では必要に応じて前記画像データの転送を要求することができる。従って、携帯用画像通信装置に上記画像データを記憶するための大きな記憶容量を常時確保する必要がなく、携帯用画像通信装置の記憶容量を他の目的に有効に使用することができる。
【０２８６】
また、中継装置から携帯用画像通信装置に転送された画像データは携帯用画像通信装置の記憶手段に一旦記憶されるので、操作者は適当なときに、携帯用画像通信装置をデジタル画像形成装置と通信可能な状態とし、画像データの可視化された画像を得ることができる。
【産業上の利用可能性】
【０２８７】
本発明は、互いに通信可能なデジタル画像形成装置および携帯用画像通信装置と、他の通信装置から前記携帯用画像通信装置宛に送信されてくる画像データを管理する通信管理装置とを含んで構成されるデジタル画像形成システムに適用することができる。
【図面の簡単な説明】
【０２８８】
【図１】本発明の参考例におけるデジタル画像形成システムの構成を示す概略のブロック図である。
【図２】図１に示したデジタル画像形成システムを構成するデジタル複写機と携帯電話であって、デジタル複写機に携帯電話が装着された状態を示す正面図である。
【図３】図２に示したデジタル複写機の内部構造を示す概略の縦断面図である。
【図４】図２に示したデジタル複写機が備える画像処理部のブロック図である。
【図５】図２に示したデジタル複写機が備える制御系の構成を示すブロック図である。
【図６】図２に示したデジタル複写機が備える操作パネルの正面図である。
【図７】図２に示した携帯電話とデジタル複写機が備えるロック機構とを示す概略の正面図である。
【図８】図１に示したデジタル複写機の動作を示すフローチャートである。
【図９】図８に示した動作に続く動作を示すフローチャートである。
【図１０】図８および図９に示したデジタル複写機の動作に対応する、図１に示した携帯電話の動作を示すフローチャートである。
【図１１】図１０に示した動作に続く動作を示すフローチャートである。
【図１２】本発明の他の参考例におけるデジタル画像形成システムのデジタル複写機と携帯電話との動作を示すフローチャートである。
【図１３】図１２に示した動作に続く動作を示すフローチャートである。
【図１４】本発明のさらに他の参考例におけるデジタル画像形成システムのデジタル複写機と携帯電話との動作を示すフローチャートである。
【図１５】図１４に示した動作に続く動作を示すフローチャートである。
【図１６】本発明のさらに他の参考例におけるデジタル画像形成システムのデジタル複写機と携帯電話との動作を示すフローチャートである。
【図１７】図１６に示した動作に続く動作を示すフローチャートである。
【図１８】本発明のさらに他の参考例におけるデジタル画像形成システムの動作を示すフローチャートである。
【図１９】図１８に示した動作に続く動作を示すフローチャートである。
【図２０】本発明のさらに他の参考例におけるデジタル画像形成システムにおいて、携帯電話に電源を接続する構成を示すブロック図である。
【図２１】本発明のさらに他の参考例におけるデジタル画像形成システムの動作を示すフローチャートである。
【図２２】図２１に示した動作に続く動作を示すフローチャートである。
【図２３】本発明のさらに他の参考例におけるデジタル画像形成システムの携帯電話側の動作を示すフローチャートである。
【図２４】図２３に示した動作に続く動作を示すフローチャートである。
【図２５】本発明のさらに他の参考例におけるデジタル画像形成システムのデジタル複写機側の動作を示すフローチャートである。
【図２６】図２５に示した動作に続く動作を示すフローチャートである。
【図２７】本発明の実施の形態におけるデジタル画像形成システムの構成を示す概略のブロック図である。
【図２８】図２７に示した通信管理センターの動作を示すフローチャートである。
【図２９】図２７に示した携帯電話およびデジタル複写機の動作を示すフローチャートである。
【図３０】図２９に示した動作に続く動作を示すフローチャートである。
【図３１】本発明の実施の他の形態におけるデジタル画像形成システムの携帯電話側の動作を示すフローチャートである。
【図３２】図３１に示した動作に続く動作を示すフローチャートである。
【符号の説明】
【０２８９】
１    デジタル複写機（デジタル画像形成装置）
１ａ  装着部
２    携帯電話（携帯用画像通信装置）
１１    スキャナ部（画像データ生成手段）
６４    画像メモリ（第１記憶手段）
６５    メインＣＰＵ（第１制御手段）
７３    操作パネル
１３１    ＣＰＵ（第２制御手段）
１３２    メモリ（第２記憶手段）
１３７    入力キー（入力手段）
１５１    通信管理センター（通信管理装置）
１５２    ＣＰＵ（制御手段）
１５３    メモリ（記憶手段）
【図１】
0003715304.tif 000002
【図２】
0003715304.tif 000003
【図３】
0003715304.tif 000004
【図４】
0003715304.tif 000005
【図５】
0003715304.tif 000006
【図６】
0003715304.tif 000007
【図７】
0003715304.tif 000008
【図８】
0003715304.tif 000009
【図９】
0003715304.tif 000010
【図１０】
0003715304.tif 000011
【図１１】
0003715304.tif 000012
【図１２】
0003715304.tif 000013
【図１３】
0003715304.tif 000014
【図１４】
0003715304.tif 000015
【図１５】
0003715304.tif 000016
【図１６】
0003715304.tif 000017
【図１７】
0003715304.tif 000018
【図１８】
0003715304.tif 000019
【図１９】
0003715304.tif 000020
【図２０】
0003715304.tif 000021
【図２１】
0003715304.tif 000022
【図２２】
0003715304.tif 000023
【図２３】
0003715304.tif 000024
【図２４】
0003715304.tif 000025
【図２５】
0003715304.tif 000026
【図２６】
0003715304.tif 000027
【図２７】
0003715304.tif 000028
【図２８】
0003715304.tif 000029
【図２９】
0003715304.tif 000030
【図３０】
0003715304.tif 000031
【図３１】
0003715304.tif 000032
【図３２】
0003715304.tif 000033